(57)【要約】  高速インターリーブアナログ/デジタルコンバータ(ADC)アレイの較正のための技術が提示される。トランシーバは、高速データ通信を円滑にするようにインターリーブされ得るサブADCのアレイを備えるADCコンポーネントを具備する。ADCコンポーネントは、リモート送信機から受信された信号を、受信されたデータを回復することが円滑になされるように処理する。トランシーバは、回復されたデータに基づき、トランシーバとリモート送信機との間の通信チャネルまたは媒体の伝達特性、およびアレイのサブADCの各々へのリモート送信機の伝達特性を決定する較正コンポーネントを備えることができる。較正コンポーネントは、それぞれの伝達特性に基づき、サブADC経路差を補正することが円滑にされるようにアレイのサブADCを較正し、経路差によって引き起こされるであろう歪みを軽減することを円滑にし、較正コンポーネントは、チャネル推定を使用してアレイのサブADCの伝達関数を決定することができる。
2018520590.tif 000002
【特許請求の範囲】
【請求項１】
リモート通信コンポーネントから受信されたアナログ信号に関連付けられている、それぞれの時間遅延されたアナログ信号をそれぞれのデジタルデータサンプルに変換するための複数のコンバータサブコンポーネントを備えるコンバータコンポーネントと、
前記複数のコンバータサブコンポーネントのそれぞれのコンバータサブコンポーネントに関連付けられているそれぞれの伝達関数を、前記それぞれのデジタルデータサンプルに関連付けられているそれぞれのデータに少なくとも一部は基づき決定し、前記それぞれのコンバータサブコンポーネントを、前記それぞれのコンバータサブコンポーネントの間の経路差を軽減することが円滑になされるように、前記それぞれの伝達関数に少なくとも一部は基づき較正するための較正コンポーネントと
を備えるシステム。
【請求項２】
前記較正コンポーネントは、チャネル推定を使用して、前記それぞれのコンバータサブコンポーネントに関連付けられている前記それぞれの伝達関数の決定を円滑にし、前記チャネル推定は、最小二乗チャネル推定、データ相互相関、反復チャネル推定、最小平均二乗チャネル推定、再帰的最小二乗チャネル推定、またはブラインドチャネル推定である請求項1に記載のシステム。
【請求項３】
前記較正コンポーネントは、前記それぞれのデータに少なくとも一部は基づき前記それぞれのコンバータサブコンポーネントに関して前記リモート通信コンポーネントに関連付けられているそれぞれの伝達特性を決定し、
前記較正コンポーネントは、前記通信コンポーネントと前記リモート通信コンポーネントとの間の前記通信チャネルもしくは媒体に関連付けられている前記伝達特性および前記それぞれのコンバータサブコンポーネントに関する前記リモート通信コンポーネントに関連付けられている前記それぞれの伝達特性に少なくとも一部は基づき前記それぞれのコンバータサブコンポーネントの間のそれぞれの経路差を決定し、
前記較正コンポーネントは、前記それぞれのコンバータサブコンポーネントの間の前記それぞれの経路差に少なくとも一部は基づき、前記それぞれのコンバータサブコンポーネントに適用する較正を、前記それぞれのコンバータサブコンポーネントの前記較正が円滑になされるように決定する請求項1に記載のシステム。
【請求項４】
前記較正コンポーネントは、前記複数のコンバータサブコンポーネントのうちのコンバータサブコンポーネントに関連付けられているチャネル応答を、前記コンバータサブコンポーネントに関連付けられている公称帯域幅または公称サンプリング周波数よりも大きい帯域幅またはサンプリング周波数上で決定する請求項1に記載のシステム。
【請求項５】
前記較正コンポーネントは、補正フィルタを、前記それぞれのコンバータサブコンポーネントについて決定されたそれぞれのチャネル応答に少なくとも一部は基づき構成し、前記補正フィルタを前記それぞれのコンバータサブコンポーネントのそれぞれの信号に適用して、前記それぞれのコンバータサブコンポーネントの間の経路差をイコライズするかまたは低減することを円滑にし、
前記補正フィルタは、アナログフィルタまたはデジタルフィルタであり、前記それぞれの信号は、前記それぞれの時間遅延されたアナログ信号または前記それぞれのデジタルデータサンプルを含み、
前記較正コンポーネントは、反復プロセス、適応プロセス、または直接計算のうちの少なくとも1つを使用して、前記補正フィルタの構成を円滑にする
請求項1に記載のシステム。
【請求項６】
前記それぞれの時間遅延されたアナログ信号を生成するように前記アナログ信号を処理し、前記それぞれの時間遅延されたアナログ信号を前記それぞれのコンバータサブコンポーネントに送るためのインターリーバコンポーネント、
前記それぞれのデジタルデータサンプルを、前記それぞれのデータを決定することが円滑になされるように、復号するための復号器コンポーネント、
前記それぞれのデータを含む、デジタルデータサブストリームを組み合わせて、前記アナログ信号に対応するデジタルデータストリームを生成するためのコンバイナコンポーネント
のうちの少なくとも1つをさらに備える請求項1に記載のシステム。
【請求項７】
リモート通信デバイスから受信されたアナログ信号に関連付けられている、それぞれの時間遅延されたアナログ信号に少なくとも一部は基づくそれぞれのデジタルデータサンプルに関連付けられているそれぞれのデータに少なくとも一部は基づき複数のコンバータサブコンポーネントのそれぞれのコンバータサブコンポーネントに関連付けられているそれぞれの伝達関数を決定するステップと、
前記それぞれの伝達関数に少なくとも一部は基づき前記それぞれのコンバータサブコンポーネントを、前記それぞれのコンバータサブコンポーネントの間の経路差を軽減することが円滑になされるように調整するステップと
を含む方法。
【請求項８】
前記それぞれの時間遅延されたアナログ信号を前記それぞれのデジタルデータサンプルに変換するステップと、
チャネル推定を使用して、前記それぞれのコンバータサブコンポーネントに関連付けられている前記それぞれの伝達関数を決定する前記ステップが円滑になされるように、前記それぞれのコンバータサブコンポーネントに関連付けられているそれぞれのチャネル応答を決定するステップと
をさらに含む請求項7に記載の方法。
【請求項９】
前記それぞれのデータに少なくとも一部は基づき前記リモート通信デバイスと前記アナログ信号を受信した通信デバイスとの間の通信チャネルまたは媒体に関連付けられている伝達特性を決定するステップと、
前記それぞれのデータに少なくとも一部は基づき前記それぞれのコンバータサブコンポーネントへの前記リモート通信デバイスのそれぞれの伝達特性を決定するステップと、
前記リモート通信コンポーネントと前記通信デバイスとの間の前記通信チャネルもしくは媒体に関連付けられている前記伝達特性および前記それぞれのコンバータサブコンポーネントへの前記リモート通信デバイスの前記それぞれの伝達特性に少なくとも一部は基づき前記それぞれのコンバータサブコンポーネントの間のそれぞれの経路差を決定するステップと、
前記それぞれのコンバータサブコンポーネントの間の前記それぞれの経路差に少なくとも一部は基づき、前記それぞれのコンバータサブコンポーネントに適用する調整を、前記それぞれのコンバータサブコンポーネントを調整する前記ステップが円滑になされるように決定するステップと
をさらに含む請求項7に記載の方法。
【請求項１０】
第1のオフセット値に少なくとも一部は基づき、前記複数のコンバータサブコンポーネントの１つのコンバータサブコンポーネントに関連付けられている第1のチャネル応答を決定するステップと、
第2のオフセット値に少なくとも一部は基づき前記コンバータサブコンポーネントに関連付けられている第2のチャネル応答を決定するステップと、
前記第1のチャネル応答および前記第2のチャネル応答に少なくとも一部は基づき前記コンバータサブコンポーネントと前記複数のコンバータサブコンポーネントのうちの第2のコンバータサブコンポーネントとの間の経路差を決定するステップと
をさらに含む請求項7に記載の方法。
【発明の詳細な説明】
【技術分野】
【０００１】
本開示は、一般的に情報の通信に関するものであり、より具体的には高速インターリーブアレイの較正に関するものである。
【背景技術】
【０００２】
トランシーバなどの通信デバイスが、音声データまたは他のデータを他方の通信デバイスに送信するか、または他方の通信デバイスから受信するために使用することができる。音声データまたは他のデータは、有線またはワイヤレス通信接続を介して通信され得る。通信できるデータの量を増加させ、データの通信速度を上げる傾向があった。
【０００３】
通信のデータ転送レート、速度、および帯域幅が増大するにつれ、データを送信し、処理し、受信するために使用される回路も、高帯域幅信号を処理しなければならなくなる。デジタル信号処理を使用する多くのシステムによって使用される一コンポーネントは、さらなるデジタル信号処理のためにアナログ信号(たとえば、音声信号)をデジタル形式に変換するために使用できるアナログ/デジタルコンバータ(ADC)である。高いサンプリング速度で比較的高い帯域幅をサポートすることができるADCを設計するための一アプローチは、ADCのアレイ(たとえば、サブADCのアレイ)をインターリーブすることであり、アレイの各サブADCは、比較的低い速度で動作することができる。アレイのサブADCからのより低いサンプリングデジタルデータサンプルを組み合わせることで高速デジタルデータストリームを生成することができる。これは、アレイのサブADCがより低い速度で動作することを可能にすることができ、したがって、サブADCは、現在の集積回路処理技術の制限の下で設計することができる。そのような従来のインターリーブ方式のADC設計の問題点は、サブADC間の処理差が、組み合わされたデジタルストリームの歪みの一因になり得ることであるとしてよい。そのような処理差またはミスマッチは、たとえば、異なる低周波数オフセット、バルク利得、遅延、およびより一般的には、アレイのサブADCに関連付けられている異なる経路伝達関数を含み得る。
【０００４】
システム設計者は、多くの場合、これらの経路差が比較的小さくなり得るようにADCアレイを設計することを試み得る。しかしながら、高速通信システムに対する面積および電力設計をより効率的なものとするために、望ましくない電力および面積ペナルティが生じること、さらにはこれらの歪みを許容可能なレベルに保つためにより複雑な回路設計が採用されることがあり得る。これらのペナルティは、著しく大きくなることがあり、システムの電力および面積要件に大きく関わる可能性があり、したがって、そのようなペナルティならびに電力および面積要件を回避することが望ましいことがある。
【０００５】
また、従来のシステムでは、デジタル/アナログコンバータ(DAC)などの、補助ハードウェアは、多くの場合、経路差を較正するか、または補正するために使用することができるテスト/較正信号を発生することによって、これらの歪みを補正するために使用され(たとえば、および/または必要なものであり)得る。そのような従来の設計は、システムのコストおよび複雑度を増大させることがあり、ならびに/または、たとえば、テスト信号が通信チャネルの信号伝送に干渉する場合には、あまり役立たない可能性があり、したがって、結果として、そのような較正は、典型的には、データが通信チャネル上で実際に送信される前の特定の期間にのみ実行されることが許され得る。
【０００６】
サブADCのアレイに関連付けられているそのような歪みを補正するための別の従来の方法は、受信された信号をオーバーサンプリングすることができるサンプリングアレイ(sampling array)を使用するものであってよく、受信された信号をオーバーサンプリングすることで少しずつ集められた情報は、サブADCに関連付けられている処理経路差を較正し、補正するために使用され得る。しかしながら、そのような従来のアプローチは、システム設計を著しく複雑にすることがあり、その結果、オーバーサンプリングされたチャネル信号を取得するために使用するサンプリング速度が高くなることから、システム設計に使用される電力および面積が大きくなり望ましくないことになり得る。
【０００７】
サブADCのアレイに関連するそのような歪みを補正するための他のいくつかの従来の方法は、別のADC、または実際のチャネル信号を処理するために使用され得るアレイの他のサブADCの経路を較正するために使用され得る1つまたは複数のサブADCを追加するステップを含んでよい。しかしながら、これらの従来の方法は、不必要に高コストで不効率なシステム設計を採用することもある。
【発明の概要】
【課題を解決するための手段】
【０００８】
例示的な一実施形態において、本明細書で開示されるのは、リモート通信コンポーネントから受信されたアナログ信号に関連付けられているそれぞれの時間遅延されたアナログ信号をそれぞれのデジタルデータサンプルに変換するためのコンバータサブコンポーネントのセットを備えるコンバータコンポーネントを具備するシステムである。システムは、それぞれのデジタルデータサンプルに関連付けられているそれぞれのデータに少なくとも一部は基づきコンバータサブコンポーネントのセットのそれぞれのコンバータサブコンポーネントに関連付けられているそれぞれの伝達関数を決定し、それぞれの伝達関数に少なくとも一部は基づきそれぞれのコンバータサブコンポーネントを、それぞれのコンバータサブコンポーネントの間の経路差を軽減することが円滑になされるように較正するための較正コンポーネントをさらに備える。
【０００９】
別の例示的な実施形態において、本明細書で開示されるのは、リモート通信デバイスから受信されたアナログ信号に関連付けられている、それぞれの時間遅延されたアナログ信号に少なくとも一部は基づくそれぞれのデジタルデータサンプルに関連付けられているそれぞれのデータに少なくとも一部は基づきコンバータサブコンポーネントのセットのそれぞれのコンバータサブコンポーネントに関連付けられているそれぞれの伝達関数を決定することを含む方法である。方法は、それぞれの伝達関数に少なくとも一部は基づきそれぞれのコンバータサブコンポーネントを、それぞれのコンバータサブコンポーネントの間の経路差を軽減することが円滑になされるように調整することをさらに含む。
【００１０】
さらに別の例示的な実施形態において、本明細書で開示されるのは、それぞれの時間遅延されたアナログ信号に対応するそれぞれのデジタルデータサンプルを生成するために、リモート通信デバイスから受信されたアナログ信号に関連付けられている、それぞれの時間遅延されたアナログ信号を2値化するための手段を備えるシステムであり、2値化するための手段は、2値化するためのサブ手段のセットを備える。システムは、それぞれのデジタルデータサンプルに関連付けられているそれぞれのデータに少なくとも一部は基づき2値化するためのサブ手段のセットの2値化のためにそれぞれのサブ手段に関連付けられているそれぞれの伝達関数を決定するための手段も備える。システムは、それぞれの伝達関数に少なくとも一部は基づき2値化するためのそれぞれのサブ手段を、2値化するためのそれぞれのサブ手段の間の経路差を縮小することが円滑になされるように較正するための手段をさらに備える。
【図面の簡単な説明】
【００１１】
【図１】開示されている主題の様々な態様および実施形態により、トランシーバコンポーネントのサブADCのアレイのサブアナログ/デジタルコンバータ(サブADC)を較正することを円滑にしサブADC経路差を補正または軽減することが円滑になされるようにすることができる例示的な、非限定的なシステムを示すブロック図である。
【図２】開示されている主題の様々な態様および実施形態により、トランシーバコンポーネントのサブADCのアレイのサブADCを較正することを円滑にしサブADC経路差を補正または軽減することが円滑になされるようにすることができるシステムの例示的な、非限定的な実施形態を示す図である。
【図３】開示されている主題の様々な態様および実施形態による、トランシーバコンポーネントの例示的な、非限定的な実施形態のブロック図である。
【図４】開示されている主題の様々な態様および実施形態により、トランシーバコンポーネントのサブADCのアレイのサブADCを較正することを円滑にしサブADC経路差を補正または軽減することが円滑になされるようにすることができる方法の例示的な、非限定的な実施形態を示す流れ図である。
【図５】開示されている主題の様々な態様および実施形態により、トランシーバコンポーネントのサブADCのアレイのサブADCを較正することを円滑にしサブADC経路差を補正または軽減することが円滑になされるようにすることができる方法の別の例示的な、非限定的な実施形態を示す流れ図である。
【図６】開示されている主題の様々な態様および実施形態により、より大きい(たとえば、公称を超える)帯域幅またはサンプリング周波数上でサブADCのそれぞれのサブ経路を、トランシーバコンポーネントのサブADCのアレイのサブADCを較正することが円滑になされサブADC経路差を補正または軽減することが円滑になされるように、決定するか、または推定することができる方法の例示的な、非限定的な実施形態を示す流れ図である。
【図７】開示されている主題の様々な態様および実施形態により、サブADCアレイのADCサブコンポーネントに対する経路補正を円滑にしてサブADC経路差を補正または軽減することが円滑になされるようにするクロック回復を組み込むことができる方法の例示的な、非限定的な実施形態を示す流れ図である。
【図８】開示されている主題の様々な態様および実施形態により、タイミングオフセットを使用してサブADCアレイのADCサブコンポーネントのサブADC経路を、サブADC経路差を補正または軽減することが円滑になされるように調整することができる例示的な、非限定的な実施形態の方法を示す流れ図である。
【図９】開示されている主題の様々な態様および実施形態により、サブADC経路差を補正または軽減することを円滑にするようにフィルタ(たとえば、デジタルフィルタまたはアナログフィルタ)を構成することができる例示的な、非限定的な実施形態の方法を示す流れ図である。
【図１０】開示されている主題の様々な態様および実施形態により、それぞれの推定されたサブADCチャネルのそれぞれの関数を、サブADC経路差を補正または軽減することが円滑になされるように決定することができる例示的な、非限定的な実施形態の方法を示す流れ図である。
【図１１】本明細書で説明されている1つまたは複数の態様と併せて実装され得る例示的な電子コンピューティング環境を示すブロック図である。
【図１２】本明細書で説明されている様々な態様と併せて動作可能であるものとしてよい例示的なデータ通信ネットワークを示すブロック図である。
【発明を実施するための形態】
【００１２】
高速インターリーブアナログ/デジタルコンバータ(ADC)アレイの較正のための技術が提示される。トランシーバコンポーネントは、高速データ通信を円滑にするようにインターリーブされ得るサブADCのアレイを備えることができるADCコンポーネントを具備するものとしてよい。トランシーバコンポーネントは、リモート送信機コンポーネント(たとえば、送信機、トランシーバ、または別の種類の通信デバイス)から、データを含む信号(たとえば、アナログ信号)を受信することができる。アナログ信号がトランシーバコンポーネントによって受信されたときに、インターリーバコンポーネントは、アレイのサブADCにわたって、受信されたアナログ信号をインターリーブすることができ、インターリーバコンポーネントまたは較正コンポーネントは、アナログ信号を処理して、アナログ信号へのそれぞれの時間遅延を実装するか、または導入し、時間遅延されたアナログ信号のセット(たとえば、それぞれの時間遅延を有する)を生成することを、信号がアレイのサブADCに入力される前に行うことができる。アレイのサブADC、および/またはトランシーバコンポーネントの別のコンポーネントは、それぞれの時間遅延されたアナログ信号を処理し(たとえば、サンプリングし、変換し、復号し、および/または他の何らかの形で処理し)、リモート送信機によって送信されたデータ(たとえば、デジタル形式)を回復することを円滑にする(たとえば、決定すること、識別すること、復号すること、および/または暗号解読することなどを円滑にする)ことができる。
【００１３】
トランシーバコンポーネントは、アレイのサブADCを、サブADC経路差を補正または軽減することを円滑にするように較正するか、または調整することができる較正コンポーネントも備えることができる。較正コンポーネントは、たとえば、ADCコンポーネントもしくは関連デバイス(たとえば、トランシーバコンポーネント)の起動時、開始時間中(during showtime)、トランシーバコンポーネントに関連付けられているデータ転送中もしくはそのデータ転送に関連して、状態の発生に応答して(たとえば、状態の検出に応答して)、定期的に、および/または別の望ましい時点に、など、事実上いかなる望ましい時点においても、サブADCのそのような較正または調整を実行することができる。
【００１４】
較正コンポーネントは、回復されたデータの分析に少なくとも一部は基づき、トランシーバコンポーネントとリモート送信機コンポーネントとの間の通信チャネルまたは媒体の伝達特性、およびアレイのサブADCの各々に関するリモート送信機コンポーネントの伝達特性を決定することができる。たとえば、較正コンポーネントは、サブADCによって出力されるデジタルデータストリームがリモートから送信されたデータおよびサブADCに関連付けられているサブADC経路のチャネル特性の関数となり得るので、それぞれの伝達特性を決定することができる。アレイの各サブADCについて、較正コンポーネントは、特定のサブADCから来る受信された信号のサンプルおよびそれらのサンプルを生成するために使用されるリモートで送信されたデータも知ることができる。特定のサブADCに対するサンプルおよびサンプルを生成するために使用されるリモートで送信されたデータを知ることに少なくとも一部は基づき、較正コンポーネントは、たとえば、チャネル推定を使用して特定のサブADCの伝達関数を決定することができる。較正コンポーネントは、それぞれの伝達特性または伝達関数に少なくとも一部は基づき、サブADC経路差を補正または軽減することを円滑にし、そうしなければ経路差が補正されないか、または軽減されない結果として引き起こされていたであろう歪みを軽減することを円滑にするようにアレイのそれぞれのサブADCを較正することができる。較正コンポーネントによって較正されるような、アレイのそれぞれのサブADCは、出力として、受信された信号(たとえば、アナログ信号)に対応することができる、それぞれのデジタルデータサブストリームを提供することを円滑にし得る。ADCコンポーネントまたは別のコンポーネント(たとえば、コンバイナコンポーネント)は、それぞれのサブADCのそれぞれのデジタルデータサブストリームを組み合わせるか、統合するか、または逆インターリーブして、受信されたアナログ信号に含まれるデータを正確に表すことができるデジタルデータストリームを生成することができる。
【００１５】
図1は、開示されている主題の様々な態様および実施形態により、トランシーバコンポーネントのサブADCのアレイのサブADCを較正することを円滑にしサブADC経路差を補正または軽減することが円滑になされるようにすることができる例示的な、非限定的なシステム100を示すブロック図である。システム100は、たとえば、望ましく高い速度レートでアナログ信号のアナログ/デジタル変換を実行することができる高速通信および/またはサンプリングシステムであるか、または備えることができる。システム100は、たとえば、10ギガビット/秒(G)、40G、100G、および/またはより高速なもしくは異なる通信速度レートなどの、1つまたは複数の望ましい速度で音声もしくはデータ通信を円滑にするために使用され得る。システム100は、電気トランシーバ、光学トランシーバ、ワイヤレストランシーバ、バックプレーントランシーバ、チップ間トランシーバ、または様々な他の種類のトランシーバのうちのどれかとの接続に使用され得る。
【００１６】
システム100は、トラフィック(たとえば、音声またはデータトラフィック)を通信するために使用され得るトランシーバコンポーネント102(たとえば、トランシーバ)を備えることができ、トランシーバコンポーネント102は、リモート送信機コンポーネント104などの、通信デバイスからトラフィックを受信することができ、トラフィックを別の通信デバイスに送信することができる。トランシーバコンポーネント102は、トラフィックを通信することができるデバイスであり得るか、またはそのデバイスの一部であり得る。たとえば、トランシーバコンポーネント102は、モデムもしくはルータ(たとえば、10Gモデムもしくはルータ(たとえば、10G BaseTモデムもしくはルータ)、40Gモデムもしくはルータ(たとえば、40G BaseTモデムもしくはルータ)、100Gモデムもしくはルータ(たとえば、100G BaseTモデムもしくはルータ)、もしくは別の(たとえば、より高速なもしくは異なる)通信速度を採用し得るモデムもしくはルータ)、トラフィックの通信を円滑にすることができるスイッチ、光通信技術および/もしくはワイヤレス通信技術を採用することができる通信デバイス、または別の種類の通信デバイスであり得るか、またはその一部であり得る。
【００１７】
トランシーバコンポーネント102は、音声またはデータ通信を送信し、受信することを円滑にすることができる1つまたは複数の(たとえば、1、2、3、4、...個の)送信機と、1つまたは複数の(たとえば、1、2、3、4、...個の)受信機を備え得る。いくつかの実装において、トランシーバコンポーネント102は、両方向の同時通信を可能にすることができる全二重システムを使用することができる。トランシーバコンポーネントは、音声もしくはデータ通信を円滑にし得る1つまたは複数のアンテナなどの1つまたは複数の感知デバイスを採用することもできる。
【００１８】
トランシーバコンポーネント102は、リモート送信機コンポーネント104などの、別の通信デバイスから受信されたアナログ信号を対応するデジタル信号に変換することができるADCコンポーネント106を備えることもできる。ADCコンポーネント106は、受信された信号を処理する(たとえば、受信されたアナログ信号を対応するデジタル信号に変換する)ために使用することができるADCサブコンポーネント(本明細書ではサブADCとも称される)のセットを備えることができる。ADCサブコンポーネントのセットは、たとえば、ADCサブコンポーネント1 108、ADCサブコンポーネント2 110、からADCサブコンポーネントk 112までを含むことができ、ただし、kは事実上任意の望む数であってよい。ADCサブコンポーネントのセット(たとえば、108、110、112など)は、本明細書でより完全に開示されているように、所望の高帯域幅をサポートすることおよび受信された信号の高速処理を実行することを円滑にするためにインターリーブすることができ、並列動作することができるADCサブコンポーネントのアレイの形式において構造化され得る。
【００１９】
インターリーブを円滑にするために、トランシーバコンポーネント102は、アレイのそれぞれのインターリーブされたADCサブコンポーネント(たとえば、108、110、112など)にわたって、受信されたアナログ信号をインターリーブするために使用することができるインターリーバコンポーネント114も備えることができ、インターリーバコンポーネント114または較正コンポーネント120は、アナログ信号を処理して、アナログ信号へのそれぞれの時間遅延を実装するか、または導入し、時間遅延されたアナログ信号(たとえば、それぞれの時間遅延を有する)を生成することを、信号がADCコンポーネント106に入力される前に行うことができる。インターリーバコンポーネント114は、時間遅延されたアナログ信号(たとえば、それぞれの遅延を有する)をそれぞれのADCサブコンポーネント(たとえば、108、110、112など)のそれぞれの入力に供給することができる、k個の出力などの所望の数の出力を備え得る。それぞれのADCサブコンポーネント(たとえば、108、110、112など)は、ADCサブコンポーネントの指定されたサンプリングレートまたは処理速度でそれぞれの時間遅延されたアナログ信号をサンプリングするか、またはそれらの信号に対して他の処理を実行し、各データサンプルのアナログ値を決定することとデータサンプルのアナログ値を対応するデジタル値に変換するかまたは2値化して対応するデジタルデータサンプルを生成することとを円滑にし、それぞれの時間遅延されたアナログ信号からデータを回復することを円滑にすることができる。
【００２０】
たとえば、それぞれのADCサブコンポーネント(たとえば、108、110、112など)は、比較的遅い速度で動作して、受信された信号のそれぞれの部分を処理する(たとえば、サンプリングする、変換もしくは2値化する、および/または他の何らかの形で処理する)ことができるが、ある程度はADCサブコンポーネント(たとえば、108、110、112など)のインターリービングおよび並列動作により、それぞれのADCサブコンポーネント(たとえば、108、110、112など)の組み合わされた動作は、ADCコンポーネント106が望ましい高速の速度で受信された信号を処理し、対応するデジタルデータストリームを出力として生成することを可能にすることができる。たとえば、比較的低速な速度で生成されるそれぞれのADCサブコンポーネント(たとえば、108、110、112など)からのそれぞれのデジタルデータサンプルは組み合わされて(たとえば、コンバイナコンポーネント116によって)より高速なデジタルデータストリームを生成することができ、生成されるデジタルデータストリームのこのより高速な速度は、ADCサブコンポーネントの数およびADCサブコンポーネントのサンプリングまたは処理速度の関数となり得る。特定の非限定的な例として、ADCコンポーネント106に10Gのレートでアナログ信号をデジタル信号に変換させることが望ましい場合、および1GのADCサブコンポーネント(たとえば、各々1Gでのサンプリングまたは処理)を使用してADCコンポーネント106を形成することが望ましい場合、ADCコンポーネント106は、インターリーブすることができ、並列動作して、受信されたアナログ信号を処理することを円滑にすることができる10個の1GのADCサブコンポーネントを備えるように構成され得るが、ただし、k=10である。10個のADCサブコンポーネントのインターリービング、および並列動作は、ADCコンポーネント106が10Gのレートで受信されたアナログ信号を処理することを可能にすることを円滑にし得る。
【００２１】
アレイのそれぞれのADCサブコンポーネント(たとえば、108、110、112など)、および/またはトランシーバコンポーネント102の、復号器コンポーネント118などの別のコンポーネントは、アナログ信号を処理し(たとえば、サンプリングし、変換もしくは2値化し、復号し、および/または他の何らかの形で処理(たとえば解読)し)、リモート送信機コンポーネント104からトランシーバコンポーネント102によって受信されたデータ(たとえば、デジタル形式の)を回復することを円滑にする(たとえば、決定すること、識別することなどを円滑にする)ことができる。たとえば、それぞれのADCサブコンポーネントの各々は、アナログ信号をサンプリングして、アナログ信号のサンプルを生成することができ、サンプルは、デジタルデータサンプルを生成するように変換または2値化され得る。それぞれのADCサブコンポーネントは、それぞれのデジタルデータサンプルをコンバイナコンポーネント116に供給する(たとえば、通信する)ことができ、このコンポーネントは、それぞれのデジタルデータサンプルを組み合わせるか、または統合してデジタルデータストリームを生成することができる。コンバイナコンポーネント116は、デジタルデータストリームを復号器コンポーネント118に送信する(たとえば、通信する)ことができる。復号器コンポーネント118は、それぞれのADCサブコンポーネントからの組み合わされたデジタルデータサンプルを含む、デジタルデータストリームを復号して、デジタルデータサンプルからデータを回復すること(たとえば、生成すること、決定すること、識別すること、など)を円滑にすることができる。
【００２２】
トランシーバコンポーネント102のリンク動作が適切であれば、トランシーバコンポーネント102(たとえば、トランシーバコンポーネント102の受信機)は、典型的には、リモート送信機コンポーネント104から信号で受け取ったデータに関して誤りを生じることが比較的少ない。トランシーバコンポーネント102によって決定される回復されたデータは、典型的には、正しいか、または少なくとも実質的に、確実に正しい可能性があるので、リモートから送信されたデータがトランシーバコンポーネント102において回復された後、回復されたデータは、リモート送信機コンポーネント104とトランシーバコンポーネント102との間の通信チャネルまたは媒体の伝達特性を決定すること、および/またはアレイのADCサブコンポーネント(たとえば、108、110、112など)の各々に関してリモート送信機コンポーネント104のそれぞれの伝達特性を決定することを円滑にするために使用され得る。
【００２３】
このような決定を行い、他の動作を実行することを円滑にするために、トランシーバコンポーネント102は、アレイのそれぞれのADCサブコンポーネント(たとえば、108、110、112など)および/またはそれぞれのアレイに関連付けられている情報もしくは経路(たとえば、ADCサブ経路)をそれぞれ較正または調整して、それぞれのADCサブコンポーネントに関連付けられているそれぞれのサブADC経路差を補正または軽減することを円滑にし、そうしなければ経路差が補正されていないか、または軽減されていない結果引き起こされているであろう歪みを軽減することを円滑にし得る較正コンポーネント120を備えることができる。較正コンポーネント120は、アレイのそれぞれのADCサブコンポーネント(たとえば、108、110、112など)を、サブADC経路差を補正または軽減することを円滑にするように較正するか、または調整することができる。較正コンポーネント120は、たとえば、ADCコンポーネント106もしくは関連デバイス(たとえば、トランシーバコンポーネント102)の起動時、開始時間中、トランシーバコンポーネント102に関連付けられているデータ転送中もしくはそのデータ転送に関連して、トランシーバコンポーネント102、ADCコンポーネント106、もしくは他のコンポーネントに関連付けられている状態の発生に応答して(たとえば、状態の検出に応答して)、定期的に、および/または別の望ましい時点に、など、事実上いかなる望ましい時点においても、ADCサブコンポーネント(たとえば、108、110、112など)のそのような較正または調整を実行することができる。
【００２４】
いくつかの実装において、較正コンポーネント120は、較正コンポーネント120による回復されたデータの分析に少なくとも一部は基づき、トランシーバコンポーネント102とリモート送信機コンポーネント104との間の通信チャネルまたは媒体の伝達特性と、アレイのそれぞれのADCサブコンポーネント(たとえば、108、110、112など)の各々に関するリモート送信機コンポーネント104の伝達特性とを決定することができる。たとえば、較正コンポーネント120は、特定のADCサブコンポーネントによって出力されるデジタルデータストリームがリモートから送信されたデータおよびその特定のADCサブコンポーネントに関連付けられているサブADC経路のチャネル特性の関数となり得るので、それぞれの伝達特性を決定するように動作し得る。アレイの各ADCサブコンポーネント(たとえば、108、110、112など)について、較正コンポーネント120は、アレイの特定のADCサブコンポーネントから来る受信された信号のサンプルおよびそれらのサンプルを生成するために使用されるリモートで送信されたデータ(たとえば、特定のADCサブコンポーネントによって受信された)も知ることができる。
【００２５】
特定のADCサブコンポーネントに対するサンプルおよびそれらのサンプルを生成するために使用されるリモートで送信されたデータを知ることに少なくとも一部は基づき、較正コンポーネント120は、たとえば、チャネル推定を使用して特定のADCサブコンポーネントに関連付けられている伝達関数を決定することができる。較正コンポーネント120は、多数のチャネル推定技術のうちのどれかを使用して、特定のADCサブコンポーネントに関連付けられている伝達関数を決定することを円滑にすることができる。たとえば、較正コンポーネント120は、最小二乗チャネル推定技術、データ相互相関技術、反復チャネル推定技術(たとえば、最小平均二乗(LMS)チャネル推定、再帰的最小二乗(RLS)チャネル推定など)、ブラインドチャネル推定、または別の望ましいチャネル推定技術を使用して、アレイの特定のADCサブコンポーネントに関連付けられている伝達関数を決定することを円滑にすることができる。
【００２６】
アレイの各ADCサブコンポーネント(たとえば、108、110、112など)のそれぞれの伝達特性(たとえば、伝達関数)に少なくとも一部は基づき、較正コンポーネント120は、それぞれのADCサブコンポーネント(たとえば、108、110、112など)に関連付けられているそれぞれの経路差(たとえば、サブADC処理経路差)を決定することができる。様々な実装によれば、較正コンポーネント120は、トランシーバコンポーネント102のイコライザの出力(たとえば、イコライザコンポーネントまたはイコライゼーションフィルタコンポーネントの出力)または復号器コンポーネント118の出力から較正コンポーネント120が取得することができる情報を使用してそれぞれのADCサブコンポーネント(たとえば、108、110、112など)に関連付けられているそれぞれの経路差(たとえば、サブADC処理経路差)を決定するか、または推定することができる。たとえば、復号器出力に関して、較正コンポーネント120は、データをトランシーバコンポーネント102に送信したリモート送信機コンポーネント104によって導入された誤り訂正符号の、または誤り訂正符号に関係する情報を使用することができる。たとえば、較正コンポーネント120は、トランシーバコンポーネント102のイコライザまたは復号器コンポーネント118の出力から取得される情報に少なくとも一部は基づきアレイの各ADCサブコンポーネント(たとえば、108、110、112など)のそれぞれの伝達特性または伝達関数を決定または推定することを円滑にすることができる。
【００２７】
較正コンポーネント120は、それぞれのADCサブコンポーネント(たとえば、108、110、112など)に関連付けられているそれぞれの経路差に少なくとも一部は基づきそれぞれのADCサブコンポーネント(たとえば、108、110、112など)を較正するか、または補正するために使用され得るそれぞれの較正または補正も決定することができる。たとえば、較正コンポーネント120は、それぞれのADCサブコンポーネント(たとえば、108、110、112など)に関連付けられているそれぞれの経路差を分析することができ、それぞれのADCサブコンポーネント(たとえば、108、110、112など)に関連付けられているそれぞれのサブADC経路をイコライズするかもしくは実質的にイコライズし、および/またはそれぞれのADCサブコンポーネント(たとえば、108、110、112など)に関連付けられているそれぞれのサブADC経路の間の差を縮小するかもしくは軽減することを円滑にするようにそれぞれのADCサブコンポーネント(たとえば、108、110、112など)上で実行されるかまたはなされ得る較正、調整、または補正を決定することができる。
【００２８】
較正コンポーネント120は、それぞれの伝達特性または伝達関数に少なくとも一部は基づき、それぞれのADCサブコンポーネントに関連付けられているそれぞれのサブADC経路差を補正または軽減することを円滑にし、そうしなければ経路差が補正されないか、または軽減されない結果として引き起こされていたであろう歪みを軽減することを円滑にするようにアレイのそれぞれのADCサブコンポーネント(たとえば、108、110、112など)を較正するか、または調整することができる。たとえば、それぞれのADCサブコンポーネント(たとえば、108、110、112など)に対して較正コンポーネント120によって決定されたそれぞれの較正または補正情報を使用して、較正コンポーネント120は、それぞれのサブADC経路差を補正または軽減することを円滑にし、経路差関係歪みを軽減することを円滑にするようにアレイのそれぞれのADCサブコンポーネント(たとえば、108、110、112など)を較正するか、または調整することができる。
【００２９】
較正コンポーネント120によって較正または調整されるような、アレイのそれぞれのADCサブコンポーネント(たとえば、108、110、112など)は、出力として、受信されたアナログ信号に対応することができる、それぞれのデジタルデータサブストリームを提供することを円滑にし得る。コンバイナコンポーネント116は、デジタルデータサブストリームを受信することができ、それぞれのADCサブコンポーネント(たとえば、108、110、112など)のそれぞれのデジタルデータサブストリームを組み合わせるか、統合するか、または逆インターリーブして、望ましくは速い速度で、受信されたアナログ信号に含まれているデータを正確に表すことができるデジタルデータストリームを生成することができる。
【００３０】
いくつかの実装において、較正コンポーネント120は、所望のチャネル推定技術を使用してチャネル推定を実行し、ADCサブコンポーネント(たとえば、108、110、112など)に関連付けられている公称ADCサンプリング周波数または帯域幅に比べて比較的広い帯域幅またはサンプリング周波数にわたってADCサブコンポーネント(たとえば、108、110、112など)に対するチャネルを推定または決定することができる。較正コンポーネント120は、所望の数(たとえば、2またはそれ以上)のサンプリングオフセットを使用して一部はADCサブコンポーネント(たとえば、108、110、112など)の各々のチャネル応答を測定することによってそのようなチャネル推定を一部実行することができる。たとえば、較正コンポーネント120が、たとえば較正コンポーネント120によって意図的に導入されるような、定義済みの第1のオフセット値(たとえば、0)のタイミングオフセットでADCサブコンポーネントのチャネルを測定し、および推定または決定し、定義済みの第2のオフセット値(たとえば、T/2、ただし、TはADCコンポーネント106に関連付けられているサンプルタイミングであってよい)のタイミングオフセットでADCサブコンポーネントのチャネルを測定し、および推定または決定する場合、較正コンポーネント120は、ADCコンポーネント106のサンプリングタイミング(たとえば、T)の代わりに、定義済みの第2のオフセット値(たとえば、T/2)のサンプリングタイミングについてそのADCサブコンポーネントのチャネルを再構築するか、または決定することができ、それに対応して、1/2Tの代わりに1/Tの正の帯域幅へのADCサブコンポーネントのチャネルを知るか、学習するか、または決定することができる。較正コンポーネント120は、そのようなオーバーサンプリングを通じてADCサブコンポーネントのチャネルの各々を測定することから導き出された、または決定されたチャネル情報を使用することで、較正コンポーネント120にアレイのそれぞれのADCサブコンポーネント(たとえば、108、110、112など)の間の経路処理差のより正確な決定を行わせることを可能にし得るが、それは、較正コンポーネント120が今やADCコンポーネント106に関連付けられている公称サンプリングレートよりも高いサンプリングレートでそれぞれのADCサブコンポーネント(たとえば、108、110、112など)について関連付けられている経路情報を有することができるからである。
【００３１】
他の実装において、較正コンポーネント120は、ADCサブコンポーネント(たとえば、108、110、112など)に関連付けられている経路補正アルゴリズムにクロック回復を組み込むことができ、較正コンポーネント120は、アレイの各ADCサブコンポーネント(たとえば、108、110、112など)についてタイミング回復計算を実行することができ(たとえば、タイミング回復を決定することができ)、その結果、アレイのADCサブコンポーネント(たとえば、108、110、112など)のすべてが経路差の観点から互いに近づき、結果として、回復されたフェーズは同じであるかまたは実質的に同じになり、したがって、それぞれのADCサブコンポーネント(たとえば、108、110、112など)に関連付けられているそれぞれのサブADC経路遅延をイコライズするか、または少なくとも実質的にイコライズすることができる。これは、それぞれのADCサブコンポーネント(たとえば、108、110、112など)の間の経路差の補正、およびそれぞれのADCサブコンポーネント(たとえば、108、110、112など)によって生成されるそれぞれのデジタルデータサブストリームからADCコンポーネント106によって生成される組み合わされたデジタルデータストリーム内の歪みの低減を円滑にし得る。
【００３２】
較正コンポーネント120は、トランシーバコンポーネント102によって、またはトランシーバコンポーネント102において実装されているタイミング回復(たとえば、一般タイミング回復)または同期(たとえば、同期システム)に対して較正コンポーネント120によって実行される決定または計算からアレイのそれぞれのADCサブコンポーネント(たとえば、108、110、112など)のサブADCタイミング差を決定するか、または導出することもできる。たとえば、較正コンポーネント120は、補正が望まれている特定のADCサブコンポーネント(たとえば、108、110、112など)に対応し得る一般タイミング回復ブロックからデータを決定するか、または選択することができ、較正コンポーネント120は、一般タイミング回復ブロックに関係するそのようなデータを使用して、アレイのそれぞれのADCサブコンポーネント(たとえば、108、110、112など)のサブADCタイミング差を決定することまたは導出することを円滑にし得る。較正コンポーネント120は、アレイのそれぞれのADCサブコンポーネント(たとえば、108、110、112など)のサブADCタイミング差に関係する情報を使用して、それぞれのADCサブコンポーネント(たとえば、108、110、112など)上で実行されるべき較正、調整、または補正を決定することを円滑にし、それぞれのADCサブコンポーネント(たとえば、108、110、112など)に関連付けられているそれぞれのサブADC経路をイコライズするか、もしくは実質的にイコライズすること、および/またはそれぞれのADCサブコンポーネント(たとえば、108、110、112など)に関連付けられているそれぞれのサブADC経路の間の差を低減するか、もしくは軽減することを円滑にすることができる。
【００３３】
なおも他の実装によれば、較正コンポーネント120は、ADCサブコンポーネント(たとえば、108、110、112など)のすべてが同じであるか、または少なくとも実質的に同じであるチャネル伝達関数を有するまでADCサブコンポーネントに関連付けられているタイミングオフセットを修正するか、または調整することができる。これを行うことによって、較正コンポーネント120は、較正コンポーネント120側で追加の計算を実行しなくても(かつ追加のリソースを使用しなくても)それぞれのADCサブコンポーネント(たとえば、108、110、112など)のそれぞれのサブADC経路遅延をイコライズすることができる。
【００３４】
いくつかの実装において、較正コンポーネント120は、各ADCサブコンポーネント(たとえば、108、110、112など)の推定または決定されたチャネルの情報を使用して、各サブADC信号を処理してそれぞれのADCサブコンポーネント(たとえば、108、110、112など)の間の経路差をイコライズすることを円滑にするために使用され得る、たとえば、サブADC経路デジタル補正フィルタなどの、補正フィルタを構成することを円滑にすることができる。較正コンポーネント120は、反復/適応技術を使用して、または直接計算を使用してサブADC経路補正デジタルフィルタを構成することができる。いくつかの実装において、較正コンポーネント120は、アナログフィルタであってもよい補正フィルタを使用することができ、較正コンポーネント120は、各サブADC信号を処理してそれぞれのADCサブコンポーネント(たとえば、108、110、112など)の間の経路差をイコライズすることを円滑にするように、各ADCサブコンポーネント(たとえば、108、110、112など)の推定または決定されたチャネルの情報に少なくとも一部は基づき、アナログ補正フィルタを制御するか、または構成することを円滑にすることができる。
【００３５】
なおも他の実装において、較正コンポーネント120は、各ADCサブコンポーネント(たとえば、108、110、112など)に対する推定されたサブADCチャネルの関数を決定する(たとえば、算出する、計算する)ことができ、較正コンポーネント120は、ADCサブコンポーネントに関連付けられている関数をそのADCサブコンポーネントに関連付けられているサブADCチャネル遅延がイコライズされる際の測定基準として使用することができる。たとえば、較正コンポーネント120は、アレイのADCサブコンポーネント(たとえば、108、110、112など)のすべてに対する、たとえば、最大の2タップのセットなど、所望のマルチタップ応答のセットの応答を決定するか、または計算することができる。較正コンポーネント120は、アレイのADCサブコンポーネント(たとえば、108、110、112など)のすべてにわたってマルチタップ応答を比較することができる。較正コンポーネント120は、それぞれのADCサブコンポーネント(たとえば、108、110、112など)に関連付けられているそれぞれのマルチタップ応答に関連付けられている1つまたは複数の関数、パラメータ、または制御メカニズムを調整することを円滑にするアルゴリズム(たとえば、マルチタップ応答調整アルゴリズム)を実行して、それぞれのサブADC経路が同じにされ得ることを指示することができる、ADCサブコンポーネント(たとえば、108、110、112など)のすべてについてそれぞれのマルチタップ応答を同じであるか、または少なくとも実質的に同じである(たとえば、同じ、または実質的に同じ値を有することができる)ようにすることを円滑にすることができる。たとえば、較正コンポーネント120は、それぞれのマルチタップ応答をADCサブコンポーネント(たとえば、108、110、112など)のすべてについて同じであるか、または少なくとも実質的に同じであるようにすることを円滑にするように、ADCサブコンポーネント(たとえば、遅延ラインを使用する)、またはサブADC補正フィルタ(たとえば、サブADCデジタル補正フィルタ)などに関連付けられているサンプリング時間などの、関数、パラメータ、または制御メカニズムを調整することができる。アルゴリズムは、たとえば、反復アルゴリズムであってよく、較正コンポーネント120は、このアルゴリズムを実行して、それぞれのサブADC経路をデジタルまたはアナログのいずれかで調整することを円滑にし、それぞれのサブADC経路を同じであるか、または少なくとも実質的に同じであるようにすることができる。較正コンポーネント120は、このアルゴリズムを実行して、それぞれのマルチタップ応答の間の差を低減するか、または最小にするようにそれぞれのサブADC経路を構成することを円滑にすることもできる。このアルゴリズムを使用することで、較正コンポーネント120は、それぞれのADCサブコンポーネント(たとえば、108、110、112など)によって生成されるデジタルデータストリームのそれぞれの部分からADCコンポーネント106によって生成される組み合わされたデジタルデータストリーム内の歪みを低減することを円滑にすることができる。
【００３６】
図2を(図1とともに)参照すると、図2は、開示されている主題の様々な態様および実施形態により、トランシーバコンポーネントのサブADCのアレイのサブADCを較正することを円滑にしサブADC経路差を補正または軽減することが円滑になされるようにすることができるシステム200の例示的な、非限定的な実施形態の図を示している。システム200は、トランシーバコンポーネント202、リモート送信機コンポーネント104、ADCコンポーネント106、インターリーバコンポーネント114、コンバイナコンポーネント116、復号器コンポーネント118、および較正コンポーネント204を備えることができる。ADCコンポーネント106は、ADCサブコンポーネント1 108(sub-adc1)、ADCサブコンポーネント2 110(sub-adc2)、からADCサブコンポーネントk 112(sub-adck)までを含むADCサブコンポーネントのセットを含み得る。
【００３７】
リモート送信機コンポーネント104は、シンボルX_j(たとえば、データシンボル)のセットを含む、アナログ信号を処理し、トランシーバコンポーネント202に通信することができ、アナログ信号(たとえば、符号化されたアナログ信号)は、リモート送信機コンポーネント104によって通信される音声またはデータを表すことができる音声またはデータトラフィックを含むか、または表すことができる。トランシーバコンポーネント202は、リモート送信機コンポーネント104から、音声またはデータトラフィックを含む、アナログ信号を受信することができる。
【００３８】
トランシーバコンポーネント202は、アナログ信号に対してアナログ前処理206を実行して、アナログ信号をデジタル信号に変換し、受信されたアナログ信号に対して他の処理を実行することを円滑にし得る。いくつかの実装において、インターリーバコンポーネント114は、アナログ信号を処理して、アナログ信号のそれぞれの時間遅延されたアナログ信号を生成することができ、それぞれの時間遅延されたアナログ信号は、ADCコンポーネント106のそれぞれのADCサブコンポーネント(たとえば、108、110、112など)に送られるものとしてよい。
【００３９】
それぞれのADCサブコンポーネント(たとえば、108、110、112など)は、それぞれの時間遅延されたアナログ信号を処理して、それらのそれぞれの時間遅延されたアナログ信号をそれぞれのデジタル信号に変換することができる。それぞれのADCサブコンポーネント(たとえば、108、110、112など)は、それぞれのデジタル信号をコンバイナコンポーネント116に送る(たとえば、通信する)ことができ、コンバイナコンポーネント116は、それぞれのデジタル信号(たとえば、それぞれのデジタルデータサブストリーム)を組み合わせるか、または統合してデジタルデータストリーム(たとえば、統合されたデジタルデータストリーム)を生成することができる。
【００４０】
システム200は、コンバイナコンポーネント116からデジタルデータストリームを受信することができるイコライザコンポーネント208も備え得る。イコライザコンポーネント208は、デジタルデータストリームを分析して処理し、デジタルデータストリームをイコライズすること、および/または他のデジタル信号処理もしくはフィルタリングをデジタルデータストリームに対して実行することを円滑にし得る。たとえば、イコライザコンポーネント208は、1つまたは複数のイコライゼーション技術(たとえば、デジタル信号処理(DSP)技術、適応イコライゼーション技術、フィルタリング技術など)または他の処理技術を利用して、受信されたデジタルデータストリームに対する処理を円滑にすることができる。
【００４１】
イコライザコンポーネント208によって処理されるような、デジタルデータストリームは、復号器コンポーネント118に送られる(たとえば、通信される)ものとしてよい。復号器コンポーネント118は、イコライザコンポーネント208から受信された処理済みデジタルデータストリームを復号して、デジタルデータストリーム内に含まれるデータ(たとえば、音声または他のデータ)を決定するか、生成するか、または回復することができる。たとえば、デジタルデータストリームは、イコライザコンポーネント208によって処理されるような、それぞれのADCサブコンポーネント(たとえば、108、110、112など)から出力されたデジタルデータサンプルを含み得る。復号器コンポーネント118は、それぞれのデジタルデータサンプルを復号して(たとえば、デジタルデータサンプル内の符号化されたシンボルを復号して)、デジタルデータサンプルからデータを回復する(たとえば、生成する、決定する、識別する、など)ことを円滑にすることができる。回復されたデータは、たとえば、デジタルデータストリームの復号の際に復号器コンポーネント118によって決定されるか、または識別されたデータシンボル(たとえば、X_j)であってよい。
【００４２】
較正コンポーネント204は、復号器コンポーネント118から復号された出力(たとえば、復号されたデータシンボルX_j)を検出するか、または受信することができる。較正コンポーネントは、それぞれのADCサブコンポーネント(たとえば、108、110、112など)からそれぞれのデジタル信号(たとえば、デジタルデータサブストリームであってもよい、サブADC出力)を検出するか、または受信することもできる。較正コンポーネント204は、元のアナログ信号および回復されたデータ(たとえば、復号されたデータ)に関連付けられているそれぞれのデジタル信号を分析して、サブADCアレイのそれぞれのADCサブコンポーネント(たとえば、108、110、112など)を較正することを円滑にし、サブADC経路差を補正または軽減することを円滑にし得る。
【００４３】
いくつかの実装において、較正コンポーネント204は、所望のチャネル推定技術(たとえば、最小二乗チャネル推定技術、データ相互相関技術、反復チャネル推定技術(たとえば、LMSチャネル推定、RLSチャネル推定、など)、ブラインドチャネル推定、または別の所望のチャネル推定技術)を使用して、それぞれのADCサブコンポーネント(たとえば、108、110、112など)の各々に対してチャネル推定を実行し、それぞれのADCサブコンポーネント(たとえば、108、110、112など)に対するそれぞれのチャネルを推定または決定し、サブADCアレイのそれぞれのADCサブコンポーネント(たとえば、108、110、112など)に関連付けられているそれぞれの伝達関数を決定することを円滑にし得る。たとえば、所望のチャネル推定技術を使用することで、較正コンポーネント204は、ADCサブコンポーネント1 108(sub-adc1)と関連してチャネル推定を実行し、ADCサブコンポーネント1 108から出力されたデジタルデータサンプルおよび復号器コンポーネント118から検出された回復されたデータ(たとえば、復号されたデータシンボルX_j)に少なくとも一部は基づき(たとえば、その関数として)ADCサブコンポーネント1 108(210で示されているような)に対するチャネルを推定または決定することができる。所望のチャネル推定技術を使用することで、較正コンポーネント204は、ADCサブコンポーネント2 110(sub-adc2)と関連してチャネル推定を実行し、ADCサブコンポーネント2 110から出力されたデジタルデータサンプルおよび復号器コンポーネント118から検出された回復されたデータに少なくとも一部は基づき(たとえば、その関数として)ADCサブコンポーネント2 110(212で示されているような)に対するチャネルを推定または決定することもできる。さらに、所望のチャネル推定技術を使用することで、較正コンポーネント204は、ADCサブコンポーネントk 112(sub-adck)と関連してチャネル推定を実行し、ADCサブコンポーネントk 112から出力されたデジタルデータサンプルおよび復号器コンポーネント118から検出された回復されたデータに少なくとも一部は基づき(たとえば、その関数として)ADCサブコンポーネントk 112(214で示されているような)に対するチャネルを推定または決定することができる。
【００４４】
較正コンポーネント204は、それぞれのチャネル推定(たとえば、サブADC1に対する推定されたチャネル、サブADC2に対する推定されたチャネル、および/またはサブADCkに対する推定されたチャネル(まで))を分析し、それぞれのADCサブコンポーネント(たとえば、108、110、112など)のそれぞれの伝達関数を決定することを円滑にし、それぞれのADCサブコンポーネントを較正することを円滑にし、それぞれのADCサブコンポーネントの間のサブADC経路差を補正または軽減することを円滑にすることができる。それぞれのチャネル推定の分析結果に少なくとも一部は基づき、較正コンポーネント204は、それぞれのADCサブコンポーネント(たとえば、108、110、112など)上で、またはそれに関して使用すべき較正を決定し、それぞれのADCサブコンポーネントを較正することを円滑にし、サブADC経路差を補正または軽減することを円滑にすることができる。たとえば、較正コンポーネント204は、サブADCタイミングスキュー補正(216で示されているような)および/または他の種類の較正を決定することができ、それぞれのADCサブコンポーネント(たとえば、108、110、112など)の全部もしくは一部またはそれぞれのADCサブコンポーネントのそれぞれのデータ経路(たとえば、入力データ経路)に適用され得る対応する補正または較正関数またはコントロールを生成して、定義された経路補正基準に従って、それぞれのADCサブコンポーネント(たとえば、108、110、112など)のそれぞれのチャネル推定(たとえば、サブADC1に対する推定されたチャネル、サブADC2に対する推定されたチャネル、および/またはサブADCkに対する推定されたチャネル(まで))に少なくとも一部は基づき、それぞれのADCサブコンポーネントを較正することとサブADC経路差を補正または軽減することとを円滑にすることができる。
【００４５】
較正コンポーネント204は、それぞれの補正または較正関数またはコントロールを、それぞれのADCサブコンポーネント(たとえば、108、110、112など)のすべてのもしくは望ましい部分またはそれぞれのADCサブコンポーネントのそれぞれのデータ経路(たとえば、入力データ経路)に適用することを円滑にし、それぞれのADCサブコンポーネントを較正することとサブADC経路差を補正もしくは軽減することとを円滑にすることができる。それぞれのADCサブコンポーネント(たとえば、108、110、112など)の間のサブADC経路差は、それぞれの補正または較正関数またはコントロールの、それぞれのADCサブコンポーネント(たとえば、108、110、112など)のすべてのもしくは望ましい部分またはそれぞれのADCサブコンポーネントのそれぞれのデータ経路(たとえば、入力データ経路)への適用に応答して低減されるか、最小にされるか、または排除され得る。
【００４６】
図3は、開示されている主題の様々な態様および実施形態による、トランシーバコンポーネント300の例示的な、非限定的な実施形態のブロック図である。トランシーバコンポーネント300は、音声もしくはデータ通信を送信するか、または受信するために使用され得る。いくつかの実装において、トランシーバコンポーネント300は、全二重トランシーバであってよい。
【００４７】
トランシーバコンポーネント300は、トランシーバコンポーネント300から音声情報またはデータを有線、光、またはワイヤレス通信接続(たとえば、通信チャネル)を介してトランシーバコンポーネント300に通信可能に接続されている通信デバイスに送信することを円滑にすることができる1つまたは複数の送信機サブコンポーネント(たとえば、送信機)を備えることができる送信機コンポーネント302を具備することができる。いくつかの実装において、送信機コンポーネント302は、たとえば、複数の(たとえば、2、3、4、...)送信機サブコンポーネントを備えることができる。
【００４８】
トランシーバコンポーネント300は、また、音声情報またはデータを有線、光、またはワイヤレス通信接続(たとえば、通信チャネル)を介してトランシーバコンポーネント300に通信可能に接続されている通信デバイスから受信することを円滑にすることができる1つまたは複数の受信機サブコンポーネント(たとえば、受信機)を備えることができる受信機コンポーネント304を具備することもできる。いくつかの実装において、受信機コンポーネント304は、たとえば、複数の(たとえば、2、3、4、...)受信機サブコンポーネントを備えることができる。
【００４９】
トランシーバは、また、ADCコンポーネント308のサブADCアレイのそれぞれのインターリーブされたADCサブコンポーネントにわたって受信されたアナログ信号をインターリーブするために使用することができるインターリーバコンポーネント306も備え得る。いくつかの実装において、インターリーバコンポーネント306(または較正コンポーネント312)は、アナログ信号を処理して、アナログ信号へのそれぞれの時間遅延を実装するか、または導入し、時間遅延されたアナログ信号(たとえば、それぞれの時間遅延を有する)を生成することを、信号がADCコンポーネント308に入力される前に行うことができる。
【００５０】
トランシーバコンポーネント300は、本明細書でより詳細に開示されているように、インターリーブされた構造において、アナログ信号をデジタル信号に変換することを円滑にするように配置されるか、または構成され得るADCサブコンポーネントのセットを備えることができるADCコンポーネント308を具備することができる。ADCコンポーネント308のそれぞれのADCサブコンポーネントは、リモート通信デバイスから受信されたアナログ信号に関連してそれぞれのアナログ信号(たとえば、それぞれ時間遅延されたアナログ信号)を受信することができ、それぞれのアナログ信号をサンプリングする(たとえば、サンプルコンポーネントを使用して)ことができ、それぞれのアナログ信号をそれぞれのアナログ信号に対応し得る(たとえば、アナログ信号サンプルのアナログ値に対応し得る)デジタル値を有することができるそれぞれのデジタルデータサンプルに変換または2値化する(たとえば、コンバータもしくはデジタイザコンポーネントを介して)ことができる。
【００５１】
トランシーバコンポーネント300は、ADCコンポーネント308のADCサブコンポーネントから出力されたデジタルデータサブストリームの、組み合わされるか、または統合されたデジタルデータサンプルを含む、デジタルデータストリームを復号し、および/または誤り訂正して、所望の復号および/または誤り訂正技術に従って、アナログ信号でトランシーバコンポーネント300に送信されたデータを決定するか、または回復する(たとえば、データのデータ値を決定する)ことを円滑にすることができる復号器コンポーネント310も備えることができる。復号器コンポーネント310は、たとえば、リードソロモンアルゴリズム、ハミング符号、Bose、Ray-Chaudhuri、Hocquenghem(BCH)アルゴリズム、前方誤り訂正(FEC)アルゴリズム、または他の復号アルゴリズムもしくは誤り訂正アルゴリズムなどを使用して、デジタルデータサブストリームのそれぞれのデジタルデータサンプルに関連付けられている誤りを復号し、および/または訂正することを円滑にし、アナログ信号のデータを決定するか、または回復することを円滑にすることができる。
【００５２】
トランシーバコンポーネント300は、ADCコンポーネント308のそれぞれのADCサブコンポーネントおよび/またはそれぞれのアレイに関連付けられている情報もしくは経路(たとえば、ADCサブ経路)をそれぞれ較正または調整して、それぞれのADCサブコンポーネントに関連付けられているそれぞれのサブADC経路差を補正もしくは軽減することを円滑にし、そうしなければ経路差が補正されていないか、または軽減されていない結果引き起こされているであろう歪みを軽減することを円滑にし得る較正コンポーネント312をさらに備えることができる。様々な態様および実装によれば、較正コンポーネント312は、たとえば、較正管理コンポーネント314、モニタコンポーネント316、分析器コンポーネント318、計算機コンポーネント320、チャネル推定器コンポーネント322、オフセットコンポーネント324、およびフィルタコンポーネント326を備えることができる。
【００５３】
較正管理コンポーネント314は、較正管理コンポーネント314の様々なコンポーネント(たとえば、モニタコンポーネント316、分析器コンポーネント318、計算機コンポーネント320など)の動作、較正管理コンポーネント314の様々なコンポーネントの間のデータフロー、較正管理コンポーネント314と他のコンポーネント(たとえば、ADCコンポーネント308、復号器コンポーネント310、プロセッサコンポーネント330、データストア332など)との間のデータ、および/または較正管理コンポーネント314の他の動作もしくは関連付けられている他の動作を制御するか、または管理することができる。較正管理コンポーネント314の様々なコンポーネントを使用することで、較正管理コンポーネント314は、本明細書でより詳細に開示されているように、ADCコンポーネント308のそれぞれのADCサブコンポーネントおよび/またはそれぞれのアレイに関連付けられている情報もしくは経路(たとえば、ADCサブ経路)をそれぞれ較正するか、または調整して、それぞれのADCサブコンポーネントに関連付けられているそれぞれのサブADC経路差を補正するか、または軽減する(たとえば、それぞれのサブADC経路をイコライズするか、または実質的にイコライズする)ことを円滑にすることができる。
【００５４】
モニタコンポーネント316は、通信状態に関係する情報、トランシーバコンポーネント300に関連付けられている伝達特性などに関係する情報などの、情報を監視するか、感知するか、または検出することができる。たとえば、モニタコンポーネント316は、信号から回復されたデータに少なくとも一部は基づき、トランシーバコンポーネント300と別の通信デバイス(たとえば、リモート送信デバイス)との間の通信チャネルまたは媒体の伝達特性に関係する情報を監視するか、感知するか、または検出することができる。モニタコンポーネント316は、信号から回復されたデータに少なくとも一部は基づき、ADCコンポーネント308のADCサブコンポーネントの各々への他の通信デバイスの伝達特性に関係する情報を監視するか、感知するか、または検出することもできる。
【００５５】
分析器コンポーネント318は、トランシーバコンポーネント300に関連付けられているデータを分析するか、評価するか、または比較して、ADCコンポーネント308のそれぞれのADCサブコンポーネントおよび/またはそれぞれのアレイに関連付けられている情報もしくは経路(たとえば、ADCサブ経路)を較正もしくは調整することを円滑にし、それぞれのADCサブコンポーネントに関連付けられているそれぞれのサブADC経路差を補正するか、または軽減する(たとえば、それぞれのサブADC経路をイコライズするか、または実質的にイコライズする)ことを円滑にすることができる。分析器コンポーネント318によって分析され得るデータは、受信されたアナログ信号に関連付けられている回復されたデータ(たとえば、デジタルデータ)、様々な種類の伝達特性(たとえば、本明細書においてより詳細に開示されているような)、チャネル推定もしくはチャネル応答に関係する情報、計算機コンポーネント320によって実行される計算の結果得られる情報、それぞれのADCサブコンポーネントに関連付けられているそれぞれの伝達関数に関係する情報、それぞれのADCサブコンポーネントの間のそれぞれの経路差に関係する情報、および/またはADCサブコンポーネントの較正に関係する他の情報に関係し得る。このデータ分析に少なくとも一部は基づき、分析器コンポーネント318は、ADCコンポーネント308のそれぞれのADCサブコンポーネントの較正もしくは調整および/またはそれぞれのアレイに関連付けられている情報もしくは経路(たとえば、ADCサブ経路)に関係する決定を行うことを円滑にし、それぞれのADCサブコンポーネントに関連付けられているそれぞれのサブADC経路差を補正するか、または軽減することを円滑にするために較正管理コンポーネント314によって使用できる分析結果を生成することができる。
【００５６】
計算機コンポーネント320は、本明細書で開示されている方程式を含む方程式、および/または行列を使用してデータ値に対して計算(たとえば、数学的計算)を実行して、計算結果を生成することができる。較正管理コンポーネント314は、計算結果を使用して、ADCコンポーネント308のそれぞれのADCサブコンポーネントおよび/またはそれぞれのアレイに関連付けられている情報もしくは経路(たとえば、ADCサブ経路)を較正するか、または調整することを円滑にし、それぞれのADCサブコンポーネントに関連付けられているそれぞれのサブADC経路差を補正するか、または軽減することを円滑にし得る。
【００５７】
チャネル推定器コンポーネント322は、たとえば、所望のチャネル推定技術を使用して、チャネル推定または決定を実行し、ADCコンポーネント308のそれぞれのADCサブコンポーネントに関連付けられているそれぞれの伝達関数を決定することを円滑にすることができる。チャネル推定器コンポーネント322は、多数のチャネル推定技術のうちのどれかを使用して、そのような伝達関数を決定することを円滑にすることができる。たとえば、チャネル推定器コンポーネント322は、最小二乗チャネル推定技術、データ相互相関技術、反復チャネル推定技術(たとえば、LMSチャネル推定、RLSチャネル推定、ブラインドチャネル推定など)、または別の望ましいチャネル推定技術を使用して、そのような伝達関数を決定することを円滑にすることができる。
【００５８】
オフセットコンポーネント324は、タイミングオフセットなどの、1つまたは複数のオフセットを実装するか、または導入して、1つまたは複数のオフセットにおけるそれぞれのサブADC経路のそれぞれのチャネル応答を(たとえば、チャネル推定器コンポーネント322によって)測定するか、決定するか、または推定することを円滑にするために使用され得る。本明細書においてより詳細に開示されているように、このことは、より正確な時間期間にわたってADCコンポーネント308のADCサブコンポーネントの各々についてチャネルをより正確に再構築することを円滑にし得る(たとえば、オフセットにより円滑にされるオーバーサンプリングの結果として)。オフセットコンポーネント324は、定義済みの経路補正基準に従って、タイミングオフセットを調整することを円滑にし、それぞれのADCサブコンポーネントのそれぞれの伝達関数が同じになるか、または少なくとも実質的に同じになるまで、それぞれのADCサブコンポーネントのそれぞれの伝達関数を調整することを円滑にするために較正管理コンポーネント314によっても使用され得る。
【００５９】
フィルタコンポーネント326は、アナログ信号(たとえば、アナログデータサンプル)またはデジタル信号(たとえば、デジタルデータサンプル)などの情報をフィルタリングするか、または処理して、ADCコンポーネント308のそれぞれのADCサブコンポーネントの間のサブADC経路差をイコライズするか、または少なくとも実質的にイコライズすることを円滑にすることができる1つまたは複数のアナログまたはデジタルフィルタを備え得る。フィルタコンポーネント326は、ADCコンポーネント308の各ADCサブコンポーネントの推定されるか、または決定されたチャネル応答に関係する情報に少なくとも一部は基づきフィルタ(たとえば、アナログ補正フィルタもしくはデジタル補正フィルタ)を構成することを円滑にすることができる。フィルタコンポーネント326は、構成されたフィルタを使用して、それぞれのADCサブコンポーネントのそれぞれのサブADC信号を処理することを円滑にし、ADCコンポーネント308のそれぞれのADCサブコンポーネントの間の経路差をイコライズするか、または少なくとも実質的にイコライズすることを円滑にすることができる。実装によれば、フィルタコンポーネント326は反復もしくは適応型技術を使用して、または直接計算(たとえば、計算機コンポーネント320によって円滑にされるような)を使用してフィルタ(たとえば、サブADC経路補正デジタルフィルタ)を構成することができる。いくつかの実装において、フィルタコンポーネント326は、アナログフィルタであってもよい補正フィルタを使用することができ、較正管理コンポーネント314は、それぞれのADCサブコンポーネントの推定されるか、または決定されたチャネル応答の情報に少なくとも一部は基づき、アナログ補正フィルタを制御するか、または構成することを円滑にし、それぞれのサブADC信号を処理することを円滑にし、ADCコンポーネント308のそれぞれのADCサブコンポーネントの間の経路差をイコライズするか、または少なくとも実質的にイコライズすることを円滑にすることができる。
【００６０】
トランシーバコンポーネント300は、本明細書においてより詳細に開示されているように、ADCコンポーネント308のそれぞれのサブADCのそれぞれのデジタルデータサブストリームを組み合わせるか、統合するか、または逆インターリーブして、受信されたアナログ信号に含まれるデータを正確に表すことができるデジタルデータストリームを生成することができるコンバイナコンポーネント328も備えることができる。コンバイナコンポーネント328は、ADCコンポーネント308のADCサブコンポーネントからデジタルデータサブストリームを受信することを円滑にするためにADCコンポーネント308に関連付けられ得る(たとえば、通信可能に接続され得る)。コンバイナコンポーネント328は、較正コンポーネント312にも関連付けられるものとしてよく、これにより、較正コンポーネント312による分析のためにそれぞれのデジタルデータサブストリーム(たとえば、それぞれのデジタルデータサンプル)を較正コンポーネント312に供給することを円滑にし、ADCコンポーネント308のそれぞれのADCサブコンポーネントおよび/またはそれぞれのアレイに関連付けられている情報もしくは経路(たとえば、ADCサブ経路)を較正するか、または調整することを円滑にし、それぞれのADCサブコンポーネントに関連付けられているそれぞれのサブADC経路差を補正するか、または軽減する(たとえば、それぞれのサブADC経路をイコライズするか、または実質的にイコライズする)ことを円滑にすることができる。
【００６１】
トランシーバコンポーネント300は、他のコンポーネント(たとえば、送信機コンポーネント302、受信機コンポーネント304、インターリーバコンポーネント306、ADCコンポーネント308、復号器コンポーネント310、較正コンポーネント312など)と連動して動作し、本明細書で開示されているように、トランシーバコンポーネント300の様々な機能を実行することを円滑にすることができるプロセッサコンポーネント330も備え得る。プロセッサコンポーネント330は、トランシーバコンポーネント300などによって実行される動作に関係する情報(たとえば、音声もしくはデータ情報)などのデータを処理することができる1つまたは複数のプロセッサ(たとえば、中央演算処理装置(CPU)、グラフィカルプロセッシングユニット(GPU)、フィールドプログラマブルゲートアレイ(FPGA)など)、マイクロプロセッサ、またはコントローラを使用して、信号を送信すること、信号を受信すること、ADCサブコンポーネントを較正もしくは調整すること、ADCサブコンポーネントに関連付けられている情報もしくは経路を較正もしくは調整すること、チャネル推定を実行すること、計算を実行すること、フィルタを構成すること、信号をフィルタリングすること、および/または他の動作を実行することを円滑にすることができ、トランシーバコンポーネント300とトランシーバコンポーネントを300に関連付けられている(たとえば、接続されている)他のコンポーネントとの間のデータフローを制御することができ、トランシーバコンポーネント300の様々なコンポーネントの間のデータフローを制御することができる。
【００６２】
さらに別の態様において、トランシーバコンポーネント300は、データ構造体(たとえば、音声情報、データ、メタデータ)、コード構造体(たとえば、モジュール、オブジェクト、クラス、プロシージャ)、コマンド、もしくは命令、信号を受信すること、ADCサブコンポーネントを較正するかもしくは調整すること、ADCサブコンポーネントに関連付けられている情報もしくは経路を較正するかもしくは調整すること、チャネル推定を実行すること、計算を実行すること、フィルタを構成すること、信号をフィルタリングすること、および/または他の動作を実行することに関係する情報、パラメータデータ、アルゴリズム(たとえば、ADCサブコンポーネントを較正することに関係するアルゴリズム、アナログもしくはデジタルフィルタを構成することに関係するアルゴリズム、チャネル推定に関係するアルゴリズムなど)に関係する情報、定義されている経路補正基準、などを記憶することができるデータストア332も備えることができる。一態様において、プロセッサコンポーネント330は、送信機コンポーネント302、受信機コンポーネント304、インターリーバコンポーネント306、ADCコンポーネント308、復号器コンポーネント310、較正コンポーネント312など、および/またはトランシーバコンポーネント300の実質的に任意の他の動作可能な態様に対して、動作し、および/または機能性を少なくとも一部付与するうえで望ましい情報を記憶し、取り出すためにデータストア332に(たとえば、メモリバスを通じて)機能的に結合され得る。トランシーバコンポーネント300の様々なコンポーネントは、トランシーバコンポーネント300の動作を実行するために望み通りに、互いの間で、および/またはトランシーバコンポーネント300に関連付けられている他のコンポーネントの間で情報を通信することができることは評価され、理解されるべきである。トランシーバコンポーネント300のそれぞれのコンポーネント(たとえば、送信機コンポーネント302、受信機コンポーネント304、インターリーバコンポーネント306、ADCコンポーネント308、復号器コンポーネント310、較正コンポーネント312など)は各々、望みに応じて、スタンドアロンユニットとすることができ、(図示されているように)トランシーバコンポーネン
ト300内に備えられてよく、トランシーバコンポーネント300の別のコンポーネントまたはトランシーバコンポーネント300とは別のコンポーネント内に組み込まれ得、および/またはその事実上任意の好適な組合せとし得ることはさらに評価され、理解されるべきである。
【００６３】
上で説明されている例示的なシステムに鑑みて、説明されている主題により実装され得る方法は、図4〜図10のフローチャートを参照するとより適切に評価され得る。説明を簡単にするために、方法は一連のブロックとして図示され説明されているが、請求されている主題は、ブロックの順序によって限定されず、いくつかのブロックは、本明細書において図示され説明されているものと異なる順序でおよび/または他のブロックと同時に出現してもよいことを理解および認識されたい。さらに、例示されているブロックすべてが、これ以降に説明されている方法を実装するために必要とは限らない。
【００６４】
図4は、開示されている主題の様々な態様および実施形態により、トランシーバコンポーネントのサブADCのアレイのサブADCを較正することを円滑にしサブADC経路差を補正または軽減することが円滑になされるようにすることができる例示的な方法400の流れ図を示している。方法400は、たとえば較正コンポーネントおよびADCコンポーネントを含み得る、トランシーバコンポーネントなどの通信デバイスによって実装され得る。
【００６５】
ブロック402で、通信デバイスのADCサブコンポーネントのセット(たとえば、アレイ)のそれぞれのADCサブコンポーネント(たとえば、トランシーバコンポーネント)に関連付けられているそれぞれの伝達関数が、別の通信デバイスから受信されたアナログ信号から決定されたデジタルデータに少なくとも一部は基づき決定され得る。通信デバイスは、他の通信デバイスから、データを含むアナログ信号を受信することができる。インターリーブされ得る、ADCコンポーネントのADCサブコンポーネントは、アナログ信号をサンプリングし、2値化することができ、それぞれのADCサブコンポーネントは、それぞれの時間遅延とともにアナログ信号を受信することができる。データ(たとえば、デジタルデータ)は、2値化されたデータサンプルから復元され得る(たとえば、2値化されたデータサンプルが復号器コンポーネントによって復号された後)。
【００６６】
較正コンポーネントは、信号から回復されたデータに少なくとも一部は基づき、通信デバイスと他の通信デバイス(たとえば、送信デバイス)との間の通信チャネルまたは媒体の伝達特性を決定することができる。較正コンポーネントは、信号から回復されたデータに少なくとも一部は基づき、ADCサブコンポーネントのセットのADCサブコンポーネントの各々への他の通信デバイスの伝達特性を決定することもできる。較正コンポーネントは、ADCサブコンポーネントの出力されたデジタルデータサブストリームがリモートから送信されたデータ(たとえば、アナログ信号のデータ)およびADCサブコンポーネントのそれぞれのサブADC経路のチャネル特性の関数となり得るので、それぞれの伝達特性のそのような決定を行うことができる。各ADCサブコンポーネントについて、較正コンポーネントは、ADCサブコンポーネントからのサンプルおよび集められたサンプルが入っていたリモートから送信されたデータを知ることができる。各ADCサブコンポーネントについて、較正コンポーネントは、ADCサブコンポーネントからのサンプルに関係する情報およびサンプルが生成されたリモートから送信されたデータに少なくとも一部は基づき、チャネル推定を使用してADCサブコンポーネントの伝達関数を決定することを円滑にすることができる。
【００６７】
ブロック404において、それぞれのADCサブコンポーネントは、ADCサブコンポーネントのそれぞれの伝達関数に少なくとも一部は基づき較正され、それぞれのADCサブコンポーネントの間のサブADC経路差を補正または軽減することを円滑にすることができる。較正コンポーネントは、ADCサブコンポーネントのそれぞれの伝達関数に少なくとも一部は基づき、ADCサブコンポーネントのセットのそれぞれのADCサブコンポーネントを較正するか、または調整し、それぞれのADCサブコンポーネントの間のサブADC経路差を補正または軽減することを円滑にし、そうしなければ経路差が補正されないか、または軽減されない結果として引き起こされていたであろうデジタルデータストリーム内の歪みを軽減することを円滑にすることができる。通信デバイスは、それぞれのADCサブコンポーネントからそれぞれのデジタルデータサブストリームを組み合わせるか、または統合して受信されたアナログ信号からのデータに対応するものとしてよいデジタルデータストリームを生成することができるコンバイナコンポーネントも備え得る。望み通りに、デジタルデータストリームは、さらに処理され得るか(たとえば、イコライザコンポーネントおよび/または復号器コンポーネントを使用して)、または出力として供給され得る(たとえば、提示されるか、または表示され得る)。
【００６８】
図5は、開示されている主題の様々な態様および実施形態により、トランシーバコンポーネントのサブADCのアレイのサブADCを較正することを円滑にしサブADC経路差を補正または軽減することが円滑になされるようにすることができる別の例示的な方法500の流れ図を示している。方法500は、たとえば、インターリーバコンポーネント、ADCコンポーネント、較正コンポーネント、復号器コンポーネント、およびコンバイナコンポーネントを含み得る、トランシーバコンポーネントなどの通信デバイスによって実装され得る。
【００６９】
ブロック502で、データを含むアナログ信号が受信され得る。通信デバイスは、有線またはワイヤレス通信チャネルまたは媒体を介して別の通信デバイスからアナログ信号を受信することができる。
【００７０】
ブロック504で、アナログ信号は、ADCサブコンポーネントのセット(たとえば、アレイ)のそれぞれのインターリーブされたADCサブコンポーネントにわたってインターリーブされ得る。インターリーバコンポーネントは、それぞれのADCサブコンポーネントにわたってアナログ信号をインターリーブすることを円滑にすることができ、それぞれのADCサブコンポーネントは、インターリーバコンポーネントからそれぞれの時間遅延とともにアナログ信号を受信することができる。
【００７１】
ブロック506で、それぞれの時間遅延されたアナログ信号がサンプリングされ、それにより、それぞれのアナログデータサンプルを生成し、それぞれの時間遅延されたアナログ信号を2値化することを円滑にすることができる。それぞれのADCサブコンポーネントは、それぞれの時間遅延されたアナログ信号をサンプリングして、それぞれのアナログデータサンプルを生成することができる。
【００７２】
ブロック508で、それぞれのアナログデータサンプルは、それぞれのデジタルデータサンプルに変換され得る。それぞれのADCサブコンポーネントは、それぞれのアナログデータサンプルを分析することができ、アナログデータサンプルをそれぞれのデジタルデータサンプルに2値化するか、または変換することができ、それぞれのデジタルデータサンプルは、それぞれのアナログデータサンプルに対応するものとしてよい。
【００７３】
ブロック510で、それぞれのデジタルデータサンプルのそれぞれのデータ(たとえば、データ値)は決定されるものとしてよい。いくつかの実装において、コンバイナコンポーネントは、それぞれのデジタルデータサブストリーム(たとえば、それぞれのデジタルデータサンプル)を組み合わせるか、または統合して、デジタルデータストリームを生成することができる。復号器コンポーネントは、デジタルデータサンプルを含む、デジタルデータストリームを復号し、および/またはデジタルデータサンプルは(たとえば、較正コンポーネントによって)分析され、それにより、それぞれのデジタルデータサンプルから(の)それぞれのデータを回復する(たとえば、決定する)ことを円滑にすることができる。
【００７４】
ブロック512で、通信デバイスと他の通信デバイス(たとえば、送信デバイス)との間の通信チャネルまたは媒体の第1の伝達特性が、信号から回復されたデータに少なくとも一部は基づき決定され得る。較正コンポーネントは、信号から回復されたデータに少なくとも一部は基づき、通信デバイスと他の通信デバイス(たとえば、送信デバイス)との間の通信チャネルまたは媒体の第1の伝達特性を決定することができる。
【００７５】
ブロック514で、ADCサブコンポーネントのセットのそれぞれのADCサブコンポーネントへの他の通信デバイスの第2の伝達特性が、信号から回復されたデータに少なくとも一部は基づき決定され得る。較正コンポーネントは、信号から回復されたデータに少なくとも一部は基づき、ADCサブコンポーネントのセットのADCサブコンポーネントの各々への他の通信デバイスの伝達特性を決定することができる。
【００７６】
ブロック516で、それぞれのADCサブコンポーネントのそれぞれの伝達関数が、第1の伝達特性およびそれぞれの第2の伝達特性に少なくとも一部は基づき決定され得る。較正コンポーネントは、それぞれのADCサブコンポーネントの第1の伝達特性およびそれぞれの第2の伝達特性を分析することができる。較正コンポーネントは、第1の伝達特性(たとえば、通信デバイスと他の通信デバイスとの間の通信チャネルまたは媒体の伝達特性)およびそれぞれの第2の伝達特性(たとえば、ADCサブコンポーネントのセットのそれぞれのADCサブコンポーネントへの他の通信デバイスのそれぞれの第2の伝達特性)の分析結果に少なくとも一部は基づきそれぞれのADCサブコンポーネントのそれぞれの伝達関数を決定することができる。たとえば、各ADCサブコンポーネントについて、較正コンポーネントは、ADCサブコンポーネントからのサンプルに関係する情報およびサンプルが生成されたリモートから送信されたデータに少なくとも一部は基づき、チャネル推定を使用してADCサブコンポーネントの伝達関数を決定することを円滑にすることができる。
【００７７】
ブロック518において、それぞれのADCサブコンポーネントは、ADCサブコンポーネントのそれぞれの伝達関数に少なくとも一部は基づき較正され、それぞれのADCサブコンポーネントの間のサブADC経路差を補正または軽減することを円滑にすることができる。較正コンポーネントは、ADCサブコンポーネントのそれぞれの伝達関数に少なくとも一部は基づき、ADCサブコンポーネントのセットのそれぞれのADCサブコンポーネントを較正するか、または調整し、それぞれのADCサブコンポーネントの間のサブADC経路差を補正または軽減することを円滑にし、そうしなければ経路差が補正されないか、または軽減されない結果として引き起こされていたであろう歪みを軽減することを円滑にすることができる。コンバイナコンポーネントは、それぞれのADCサブコンポーネントからそれぞれのデジタルデータサブストリームを組み合わせるか、または統合して、受信されたアナログ信号に含まれるデータ(たとえば、アナログ形式)に対応するものとしてよいデータを含み得るデジタルデータストリームを生成することができる。望み通りに、デジタルデータストリームは、さらに処理され得るか、または出力として供給され得る(たとえば、提示されるか、または表示され得る)。
【００７８】
図6は、開示されている主題の様々な態様および実施形態により、より大きい(たとえば、公称を超える)帯域幅またはサンプリング周波数上でサブADCのそれぞれのサブ経路を、トランシーバコンポーネントのサブADCのアレイのサブADCを較正することが円滑になされサブADC経路差を補正または軽減することが円滑になされるように、決定するか、または推定することができる例示的な方法600の流れ図を表している。方法600は、たとえばADCコンポーネントおよび較正コンポーネントを含み得る、トランシーバコンポーネントなどの通信デバイスによって実装され得る。
【００７９】
ブロック602で、ADCサブコンポーネントのセット(たとえば、アレイ)のそれぞれのADCサブコンポーネント(たとえば、インターリーブされたADCサブコンポーネント)のそれぞれの第1のチャネル応答が、第1のタイミングオフセットに少なくとも一部は基づき決定され得る。較正コンポーネントは、それぞれのADCサブコンポーネントへの、またはそれぞれのADCサブコンポーネント上の第1のタイミングオフセット(たとえば、タイミングオフセット0)を意図的に導入するかまたは実装することができる。較正コンポーネントは、たとえば、オフセット0などの、第1のタイミングオフセット(たとえば、第1のサンプリングオフセット)に少なくとも一部は基づきそれぞれのADCサブコンポーネントのそれぞれの第1のチャネル応答を決定するか、または測定することができる。
【００８０】
ブロック604で、ADCサブコンポーネントのセットのそれぞれのADCサブコンポーネントのそれぞれの第2のチャネル応答が、第2のタイミングオフセットに少なくとも一部は基づき決定され得る。較正コンポーネントは、それぞれのADCサブコンポーネントへの、またはそれぞれのADCサブコンポーネント上の第2のタイミングオフセット(たとえば、タイミングオフセットT/2、ただし、TはADCコンポーネントの公称サンプリングタイミングであるものとしてよい)を意図的に導入するかまたは実装することができる。較正コンポーネントは、たとえば、オフセットT/2などの、第2のタイミングオフセット(たとえば、第2のサンプリングオフセット)に少なくとも一部は基づきそれぞれのADCサブコンポーネントのそれぞれの第2のチャネル応答を決定するか、または測定することができる。
【００８１】
ブロック606で、それぞれのADCサブコンポーネントのそれぞれの伝達関数が、それぞれの第1のチャネル応答およびそれぞれの第2のチャネル応答に少なくとも一部は基づき決定され得る。較正コンポーネントは、それぞれのADCサブコンポーネントのそれぞれの第1のチャネル応答およびそれぞれの第2のチャネル応答ならびに/または他の情報を分析することができる。較正コンポーネントは、それぞれの第1のチャネル応答およびそれぞれの第2のチャネル応答の分析結果に少なくとも一部は基づきそれぞれのADCサブコンポーネントのそれぞれの伝達関数を決定することができる。
【００８２】
ブロック608で、ADCサブコンポーネントのセットのそれぞれのADCサブコンポーネントの間のそれぞれの経路差が、それぞれの第1のチャネル応答およびそれぞれの第2のチャネル応答に少なくとも一部は基づき決定され得る。較正コンポーネントは、それぞれの第1のチャネル応答およびそれぞれの第2のチャネル応答を分析することができる。較正コンポーネントは、それぞれの第1のチャネル応答およびそれぞれの第2のチャネル応答の分析結果に少なくとも一部は基づきADCサブコンポーネントのセットのそれぞれのADCサブコンポーネントの間のそれぞれの経路差(たとえば、サブADC経路差)を決定することができる。
【００８３】
ブロック610において、それぞれのADCサブコンポーネントは、ADCサブコンポーネントのセットのそれぞれのADCサブコンポーネントの間のそれぞれの経路差に少なくとも一部は基づき較正され、それぞれのADCサブコンポーネントの間の経路差を補正または軽減することを円滑にすることができる。較正コンポーネントは、ADCサブコンポーネントのそれぞれの伝達関数に少なくとも一部は基づき、ADCサブコンポーネントのセットのそれぞれのADCサブコンポーネントを較正するか、または調整し、それぞれのADCサブコンポーネントの間のサブADC経路差を補正または軽減することを円滑にし、そうしなければ経路差が補正されないか、または軽減されない結果として引き起こされていたであろう歪みを軽減することを円滑にすることができる。
【００８４】
図7は、開示されている主題の様々な態様および実施形態により、サブADCアレイのADCサブコンポーネントに対する経路補正を円滑にしてサブADC経路差を補正または軽減することが円滑になされるようにするクロック回復を組み込むことができる例示的な方法700の流れ図を示している。方法700は、たとえばADCコンポーネントおよび較正コンポーネントを含み得る、トランシーバコンポーネントなどの通信デバイスによって実装され得る。
【００８５】
ブロック702で、タイミング回復決定が、ADCサブコンポーネントのセット(たとえば、アレイ)の各ADCサブコンポーネントについて実行され得る。較正コンポーネントは、クロック回復(たとえば、サブADC経路補正アルゴリズムに)組み込むことで、ADCサブコンポーネントのそれぞれのサブADC経路を補正することを円滑にし、アレイのADCサブコンポーネントの各々についてタイミング回復を決定または計算することを円滑にすることができる。
【００８６】
ブロック704で、それぞれのADCサブコンポーネントのそれぞれのサブADC経路は、それぞれのADCサブコンポーネントのそれぞれのタイミング回復決定に少なくとも一部は基づき調整され、互いに関してそれぞれのサブADC経路をイコライズするか、または実質的にイコライズすることを円滑にすることができる。それぞれのADCサブコンポーネントを較正することを円滑にするために、較正コンポーネントは、それぞれのADCサブコンポーネントのそれぞれのタイミング回復決定に少なくとも一部は基づき、それぞれのADCサブコンポーネントのそれぞれのサブADC経路を調整し、互いに関してそれぞれのサブADC経路をイコライズするか、または実質的にイコライズすることを円滑にすることができる。それぞれのADCサブコンポーネントのそれぞれのサブADC経路をイコライズするか、または少なくとも実質的にイコライズすることで、そうしなければ経路差が補正されないか、または軽減されない結果として引き起こされているであろうADCコンポーネントによって生成されたデジタルデータストリーム内の歪みを補正または軽減することを円滑にすることができる。
【００８７】
図8は、開示されている主題の様々な態様および実施形態により、タイミングオフセットを使用してサブADCアレイのADCサブコンポーネントのサブADC経路を、サブADC経路差を補正または軽減することが円滑になされるように調整することができる例示的な方法800の流れ図を示している。方法800は、たとえばADCコンポーネントおよび較正コンポーネントを含み得る、トランシーバコンポーネントなどの通信デバイスによって実装され得る。
【００８８】
ブロック802で、通信デバイスのADCサブコンポーネントのセット(たとえば、アレイ)のそれぞれのADCサブコンポーネント(たとえば、トランシーバコンポーネント)に関連付けられているそれぞれの伝達関数が、別の通信デバイスから受信されたアナログ信号から決定されたデジタルデータに少なくとも一部は基づき決定され得る。通信デバイスは、他の通信デバイスから、データを含むアナログ信号を受信することができる。インターリーブされ得る、ADCコンポーネントのADCサブコンポーネントは、アナログ信号をサンプリングし、2値化することができ、それぞれのADCサブコンポーネントは、それぞれの時間遅延とともにそれぞれのアナログ信号を受信することができる。データ(たとえば、デジタルデータ)は、2値化されたデータサンプルを含む、デジタルデータストリームから回復され得る(たとえば、デジタルデータストリームが復号器コンポーネントによって復号された後に)。
【００８９】
ブロック804で、通信デバイスと他の通信デバイス(たとえば、送信デバイス)との間の通信チャネルまたは媒体の第1の伝達特性が、信号から回復されたデータに少なくとも一部は基づき決定され得る。較正コンポーネントは、信号から回復されたデータに少なくとも一部は基づき、通信デバイスと他の通信デバイスとの間の通信チャネルまたは媒体の第1の伝達特性を決定することができる。
【００９０】
ブロック806で、ADCサブコンポーネントのセットのそれぞれのADCサブコンポーネントへの他の通信デバイスのそれぞれの第2の伝達特性が、信号から回復されたデータに少なくとも一部は基づき決定され得る。較正コンポーネントは、信号から回復されたデータに少なくとも一部は基づき、ADCサブコンポーネントのセットのADCサブコンポーネントの各々への他の通信デバイスの伝達特性を決定することができる。
【００９１】
ブロック808で、ADCサブコンポーネントのセットのそれぞれのADCサブコンポーネントの間のそれぞれの経路差が、第1の伝達特性およびそれぞれの第2の伝達特性に少なくとも一部は基づき決定され得る。較正コンポーネントは、それぞれの第1の伝達特性およびそれぞれの第2の伝達特性を分析することができる。較正コンポーネントは、それぞれの第1の伝達特性およびそれぞれの第2の伝達特性の分析結果に少なくとも一部は基づきADCサブコンポーネントのセットのそれぞれのADCサブコンポーネントの間のそれぞれの経路差(たとえば、サブADC経路差)を決定することができる。
【００９２】
ブロック810で、それぞれのADCサブコンポーネントのそれぞれの経路(たとえば、サブADC経路)のうちの1つまたは複数は、1つまたは複数のそれぞれのタイミングオフセットを使用して調整され、それにより、それぞれの伝達関数が同じであるか、または少なくとも実質的に同じになるようにそれぞれのADCサブコンポーネントのそれぞれの伝達関数を調整することを円滑にすることができる。ADCサブコンポーネントのセットのそれぞれのADCサブコンポーネントを較正することを円滑にするため、較正コンポーネントは、1つまたは複数のそれぞれのタイミングオフセットをそれぞれのADCサブコンポーネントのそれぞれの経路のうちの1つまたは複数に適用し、それぞれのADCサブコンポーネントの1つまたは複数のそれぞれの経路を調整し、定義済みの経路補正基準に従って、それぞれの伝達関数が同じまたは少なくとも実質的に同じになるまでそれぞれのADCサブコンポーネントのそれぞれの伝達関数を調整することを円滑にすることができる。これは、追加の計算を実行しなくてもそれぞれのADCサブコンポーネントのそれぞれの経路のそれぞれのサブADC経路遅延をイコライズするか、または少なくとも実質的にイコライズすることを円滑にすることができる。
【００９３】
図9は、開示されている主題の様々な態様および実施形態により、サブADC経路差を補正または軽減することを円滑にするようにフィルタ(たとえば、デジタルフィルタまたはアナログフィルタ)を構成することができる例示的な方法900を示す流れ図である。方法900は、たとえばADCコンポーネントおよび較正コンポーネントを含み得る、トランシーバコンポーネントなどの通信デバイスによって実装され得る。
【００９４】
ブロック902で、ADCサブコンポーネントのセット(たとえば、アレイ)のそれぞれのADCサブコンポーネントのそれぞれのチャネル応答が、本明細書で開示されているような所望のチャネル推定技術を使用して決定されるか、または推定され得る。較正コンポーネントは、所望のチャネル推定技術を使用して、アレイのそれぞれのADCサブコンポーネントのそれぞれのチャネル応答を決定または推定することを円滑にすることができる。
【００９５】
ブロック904で、それぞれのADCサブコンポーネントのそれぞれの伝達関数が、それぞれのADCサブコンポーネントのそれぞれのチャネル応答に少なくとも一部は基づき決定され得る。較正コンポーネントは、それぞれのADCサブコンポーネントのそれぞれのチャネル応答および/または他の情報を分析することができる。較正コンポーネントは、それぞれのチャネル応答の分析結果に少なくとも一部は基づきそれぞれのADCサブコンポーネントのそれぞれの伝達関数を決定することができる。
【００９６】
ブロック906で、それぞれのADCサブコンポーネントのそれぞれの伝達関数が評価(たとえば、比較)され、フィルタを構成することを円滑にすることができる。較正コンポーネントは、それぞれのADCサブコンポーネントのそれぞれの伝達関数を評価して、それぞれのADCサブコンポーネントの間のサブADC経路差を補正または軽減することを円滑にすることができるフィルタ(たとえば、デジタルフィルタまたはアナログフィルタ)を構成することを円滑にすることができる。
【００９７】
ブロック908で、それぞれのADCサブコンポーネントの間のそれぞれのサブADC経路差をイコライズすることを円滑にし得るフィルタ構成が、それぞれのADCサブコンポーネントのそれぞれの伝達関数の評価の結果に少なくとも一部は基づき決定され得る。較正コンポーネントは、伝達関数評価結果に少なくとも一部は基づきフィルタ構成を決定することができる。
【００９８】
ブロック910で、フィルタが決定されたフィルタ構成に少なくとも一部は基づき構成され得る。較正コンポーネントは、フィルタ構成に少なくとも一部は基づきフィルタを構成することができる。いくつかの実装において、フィルタは、ADCサブコンポーネントのデジタル信号(たとえば、デジタルデータサブストリーム)を処理するために使用され得るデジタルフィルタであってよい(たとえば、アナログ信号がADCコンポーネントによってデジタル信号に変換された後)。他の実装では、フィルタは、ADCサブコンポーネントの受信されたアナログ信号(たとえば、アナログデータサブストリーム)を処理するために使用され得るアナログフィルタであってよい(たとえば、アナログ信号がADCコンポーネントによってデジタル信号に変換される前)。較正コンポーネントは、反復もしくは適応フィルタ構成技術を使用して、または計算を実行してフィルタ構成を直接決定することによって、フィルタを生成するか、または構成することができる。
【００９９】
ブロック912で、ADCサブコンポーネントのセットのそれぞれのADCサブコンポーネントの間のサブADC経路差は、フィルタに少なくとも一部は基づき、補正もしくはイコライズされるか、または少なくとも実質的に補正もしくはイコライズされ得る。較正コンポーネントは、定義済みの経路補正基準に従って(たとえば、この基準を満たすために)ADCサブコンポーネントのセットのそれぞれのADCサブコンポーネントの間のサブADC経路差を補正もしくはイコライズするか、または実質的に補正もしくはイコライズすることを円滑にするフィルタを実装するか、または使用することができる。それぞれのADCサブコンポーネントの間のそれぞれのサブADC経路を補正もしくはイコライズすることで、そうしなければ経路差が補正されないか、または軽減されない結果として引き起こされているであろうADCコンポーネントによって生成されたデジタルデータストリーム内の歪みを軽減することを円滑にすることができる。
【０１００】
図10は、開示されている主題の様々な態様および実施形態により、それぞれの推定されたサブADCチャネルのそれぞれの関数を、サブADC経路差を補正または軽減することが円滑になされるように決定することができる例示的な方法1000の流れ図を示している。方法1000は、たとえばADCコンポーネントおよび較正コンポーネントを含み得る、トランシーバコンポーネントなどの通信デバイスによって実装され得る。
【０１０１】
ブロック1002で、それぞれのチャネル応答(たとえば、それぞれの推定もしくは決定されたチャネル応答)のそれぞれの関数は、ADCサブコンポーネントのセット(たとえば、アレイ)のそれぞれのADCサブコンポーネントについて決定され得る。較正コンポーネントは、それぞれのADCサブコンポーネントに対するそれぞれのチャネル応答のそれぞれの関数を決定もしくは計算することができる。たとえば、各ADCサブコンポーネントについて、較正コンポーネントは、ADCサブコンポーネントのチャネルの望ましいマルチタップ応答のセットを決定するか、または計算する(たとえば、最大の2タップ応答を決定または計算する)ことができる。
【０１０２】
ブロック1004で、それぞれのADCサブコンポーネントに対するそれぞれのチャネル応答のそれぞれの関数は評価され、それにより、それぞれの関数の間の差を決定することを円滑にすることができる。較正コンポーネントは、互いに関してそれぞれのADCサブコンポーネントに対するそれぞれのチャネル応答のそれぞれの関数を評価もしくは比較することができる。たとえば、較正コンポーネントは、それぞれのADCサブコンポーネントのそれぞれのマルチタップ応答(たとえば、最大2タップ応答)を互いに比較して、それぞれのADCサブコンポーネントのそれぞれのマルチタップ応答の間の差を決定することを円滑にすることができる。
【０１０３】
ブロック1006で、それぞれのADCサブコンポーネントに対するそれぞれのチャネル応答のそれぞれの関数のうちの1つまたは複数が、評価結果に少なくとも一部は基づき調整され、それにより、(たとえば、それぞれの関数を同じまたは実質的に同じにすることを円滑にするように)それぞれの関数を互いに対してイコライズするか、または少なくとも実質的にイコライズすることを円滑にし得る。評価結果に少なくとも一部は基づき、それぞれのADCサブコンポーネントを較正することを円滑にするために、較正コンポーネントは、それぞれのADCサブコンポーネントのそれぞれのチャネル応答のそれぞれの関数のうちの1つまたは複数を調整して、それぞれの関数を互いに対してイコライズするか、または少なくとも実質的にイコライズすることを円滑にし得る。たとえば、較正コンポーネントは、それぞれのADCサブコンポーネントのそれぞれのマルチタップ応答に関連付けられている1つまたは複数のそれぞれの関数、パラメータ、または制御メカニズムをそれぞれ調整して、それぞれのマルチタップ応答を同じまたは実質的に同じにすることを円滑にすることができ(たとえば、それぞれのマルチタップ応答の間の差を低減するか、または最小にすることを円滑にする)、これは、定義済み経路補正基準に従って、それぞれのADCサブコンポーネントのそれぞれのサブADC経路を同じにするか、または実質的に同じにすることを円滑にし得る。
【０１０４】
いくつかの実装において、較正コンポーネントは、それぞれのADCサブコンポーネントのそれぞれのチャネル応答のそれぞれの関数を調整することを円滑にするアルゴリズム(たとえば、関数調整アルゴリズム)を実行することができる。アルゴリズムは、反復アルゴリズムまたは非反復アルゴリズムであり得る。較正コンポーネントは、アルゴリズムを実行し、および/またはそれぞれの関数への調整をデジタルまたはアナログで(たとえば、デジタル領域内で、またはアナログ領域内で)実行することができる。このアルゴリズムを使用することで、較正コンポーネントは、それぞれのマルチタップ応答の間の差を低減するか、または最小にすることを円滑にし、それぞれのADCサブコンポーネントを較正し、サブADC経路差を補正もしくは軽減することを円滑にし、そうしなければ経路差が補正されないか、または軽減されない結果として引き起こされたであろうADCコンポーネントによって生成されるデジタルデータストリーム内の歪みを軽減することを円滑にすることができる。
【０１０５】
例示的なコンピューティング環境
述べられているように、有利には、本明細書で説明されている技術は、任意のデバイスおよび/またはネットワークに適用されてよく、ADCコンポーネントのADCサブコンポーネントの較正は、通信デバイス(たとえば、トランシーバコンポーネント)を備えるシステムにおいて望ましいものである。したがって、ハンドヘルド、ポータブル、および他のコンピューティングデバイスならびにすべての種類のコンピューティングオブジェクトは、様々な非限定的な実施形態に関連して、たとえば、通信デバイスに関連付けられているシステムに関連付けられているADCコンポーネントのADCサブコンポーネントの較正をデバイスが実装することが望ましいものとしてよい任意の場所において、使用することが企図されていることは理解されるべきである。したがって、図11において以下で説明されている以下の汎用リモートコンピュータは一例にすぎず、開示されている主題は、ネットワーク/バス相互運用性および相互作用を有する任意のクライアントにより実装され得る。したがって、開示されている主題は、関わるクライアントリソースがほとんどないか、または最小限度であるネットワークに接続されホストされているサービスの環境、たとえば、クライアントデバイスがアプライアンス内に置かれているオブジェクトなどのネットワーク/バスとの単なるインターフェースとして働くネットワーク接続環境内で実装され得る。
【０１０６】
そこで、図11は、開示されている主題のいくつかの態様が実装され得る好適なコンピューティングシステム環境1100の一例を示しているが、上で明確にされているように、コンピューティングシステム環境1100は、デバイスに対する好適なコンピューティング環境の一例にすぎず、開示されている主題の使用または機能の範囲に関する制限を示唆することを意図されていない。またコンピューティング環境1100は、典型的な動作環境1100に例示されている1つのコンポーネントまたはその組合せに関係する何らかの依存関係または要求条件がその環境にあるものと解釈すべきでない。
【０１０７】
図11を参照すると、開示されている主題を実装するための例示的なデバイスは、コンピュータ1110の形態の汎用コンピューティングデバイスを含んでいる。コンピュータ1110が備えるコンポーネントは、限定はしないが、処理ユニット1120、システムメモリ1130、およびシステムメモリを備える様々なシステムコンポーネントを処理ユニット1120に結合するシステムバス1121を含んでよい。システムバス1121は、メモリバスまたはメモリコントローラ、周辺機器バス、および様々なバスアーキテクチャのいずれかを使用するローカルバスを含む数種類のバス構造のうちのいずれでもよい。
【０１０８】
コンピュータ1110は、典型的には、様々なコンピュータ可読媒体を備える。コンピュータ可読媒体は、コンピュータ1110によってアクセスされ得る任意の利用可能な媒体であってよい。たとえば、限定はしないが、コンピュータ可読媒体は、コンピュータ記憶媒体および通信媒体を含むことができる。コンピュータ記憶媒体は、コンピュータ可読命令、データ構造体、プログラムモジュール、またはその他のデータなどの情報を記憶するための方法または技術で実装される揮発性および不揮発性、取り外し可能および取り外し不可能媒体を含む。コンピュータ記憶媒体は、限定はしないが、RAM、ROM、EEPROM、フラッシュメモリもしくはその他のメモリ技術、CDROM、デジタル多目的ディスク(DVD)もしくはその他の光学式ディスク記憶装置、磁気カセット、磁気テープ、磁気ディスク記憶装置またはその他の磁気記憶デバイス、または所望の情報を記憶するために使用することができ、しかもコンピュータ1110によってアクセスできるその他の媒体を含む。通信媒体は、通常、コンピュータ可読命令、データ構造体、プログラムモジュール、または搬送波もしくはその他のトランスポートメカニズムなどの変調データ信号によるその他のデータを具現するものであり、任意の情報配信媒体を含む。
【０１０９】
システムメモリ1130は、リードオンリーメモリ(ROM)および/またはランダムアクセスメモリ(RAM)などの揮発性および/または不揮発性メモリの形態のコンピュータ記憶媒体を含み得る。起動時などにコンピュータ1110内の要素間の情報伝送を助ける基本ルーチンを含む基本入出力システム(BIOS)は、メモリ1130に記憶され得る。メモリ1130は、典型的には、処理ユニット1120によって即時にアクセス可能な、および/または処理ユニット1120によって現在操作されているデータおよび/またはプログラムモジュールも収容する。たとえば、限定はしないが、メモリ1130は、オペレーティングシステム、アプリケーションプログラム、他のプログラムモジュール、およびプログラムデータも含み得る。
【０１１０】
コンピュータ1110はさらに、他の取り外し可能/取り外し不可能な揮発性/不揮発性コンピュータ記憶媒体を備えることもできる。たとえば、コンピュータ1110は、取り外し不可能な不揮発性磁気媒体から読み出す、または書き込むハードディスクドライブ、取り外し可能な不揮発性磁気ディスクから読み出す、または書き込む磁気ディスクドライブ、および/またはCD-ROMまたは他の光媒体などの取り外し可能な不揮発性光ディスクから読み出す、または書き込む光ディスクドライブを含むこともあり得る。例示的な動作環境において使用できる他の取り外し可能/取り外し不可能な揮発性/不揮発性コンピュータ記憶媒体は、限定はしないが、磁気テープカセット、フラッシュメモリカード、デジタル多目的ディスク、デジタルビデオテープ、ソリッドステートRAM、ソリッドステートROM、および同様のものを含む。ハードディスクドライブは、典型的には、インターフェースなどの取り外し不可能メモリインターフェースを通じてシステムバス1121に接続され、磁気ディスクドライブまたは光ディスクドライブは、典型的には、インターフェースなどの取り外し可能メモリインターフェースによりシステムバス1121に接続される。
【０１１１】
ユーザは、キーボード、およびマウス、トラックボール、またはタッチパッドと一般に呼ばれるポインティングデバイスなどの入力デバイスを通じてコンピュータ1110にコマンドおよび情報を入力することができる。他の入力デバイスは、マイクロフォン、ジョイスティック、ゲームパッド、衛星放送受信アンテナ、スキャナ、ワイヤレスデバイスキーパッド、音声コマンド、および同様のものを含み得る。これらの入力デバイスおよび他の入力デバイスは、システムバス1121に結合されているユーザ入力1140および関連するインターフェースを通じて処理ユニット1120に接続されることが多いが、パラレルポート、ゲームポート、またはユニバーサルシリアルバス(USB)などの他のインターフェースおよびバス構造によって接続されてもよい。グラフィックスサブシステムも、システムバス1121に接続されてもよい。プロジェクションディスプレイデバイス内のプロジェクションユニット、または視聴デバイスもしくは他の種類のディスプレイデバイス内のHUDは、また、出力インターフェース1150などの、インターフェースを介してシステムバス1121にも接続されてよく、これは次いでビデオメモリと通信することができる。モニタに加えて、コンピュータは、出力インターフェース1150を通じて接続され得るスピーカーなどの他の周辺出力デバイスも備えることができる。
【０１１２】
コンピュータ1110は、リモートコンピュータ1170などの1つまたは複数の他のリモートコンピュータへの論理接続を使用してネットワーク接続または分散環境で動作することができ、したがってデバイス1110と異なる媒体機能を有していてもよい。リモートコンピュータ1170は、パーソナルコンピュータ、サーバ、ルータ、ネットワークPC、ピアデバイス、携帯情報端末(PDA)、携帯電話、ハンドヘルドコンピューティングデバイス、プロジェクションディスプレイデバイス、視聴デバイス、もしくは他の共通ネットワークノード、または他のリモートメディア消費もしくは伝送デバイスとすることができ、コンピュータ1110に関して上で説明されている要素のどれか、またはすべてを含み得る。図11に示されている論理接続は、ローカルエリアネットワーク(LAN)またはワイドエリアネットワーク(WAN)などのネットワーク1171を含むが、有線もしくはワイヤレス方式のいずれかの、他のネットワーク/バスを含むこともできる。このようなネットワーキング環境は、家庭、オフィス、企業全体にわたるコンピュータネットワーク、イントラネット、およびインターネットでは一般的である。
【０１１３】
LANネットワーキング環境で使用されるときには、コンピュータ1110は、ネットワークインターフェースまたはアダプタを通じてLAN1171に接続され得る。WANネットワーキング環境で使用されるときには、コンピュータ1110は、典型的には、モデムなどの通信コンポーネント、またはインターネットなどのWAN上で通信を確立するための他の手段を備えることができる。ワイヤレス通信コンポーネント、モデムなどの通信コンポーネントは、内蔵でも外付けでもよいが、入力1140のユーザ入力インターフェースまたは他の適切なメカニズムを介してシステムバス1121に接続され得る。ネットワーク接続環境では、コンピュータ1110またはその一部に関して示されているプログラムモジュールは、リモートメモリ記憶装置デバイスに記憶され得る。図示され説明されているネットワーク接続は例示的であり、コンピュータ間の通信リンクを確立する他の手段が使用され得ることは理解されるであろう。
【０１１４】
例示的なネットワーク接続環境
図12は、例示的なネットワーク接続または分散コンピューティング環境1200の概略図である。分散コンピューティング環境は、コンピューティングオブジェクト1210、1212など、ならびにアプリケーション1230、1232、1234、1236、1238、およびデータストア1240などによって表されるようなプログラム、方法、データストア、プログラム可能論理などを含み得る、コンピューティングオブジェクトまたはデバイス1220、1222、1224、1226、1228などを備える。コンピューティングオブジェクト1210、1212など、およびコンピューティングオブジェクトもしくはデバイス1220、1222、1224、1226、1228などは、図中に示されているマルチメディアディスプレイデバイスもしくは類似のデバイスを含む異なるデバイス、または携帯電話、携帯情報端末(PDA)、オーディオ/ビデオデバイス、MP3プレーヤー、パーソナルコンピュータ、ラップトップなどの他のデバイスを含み得ることが認識され得よう。データストア1240は、1つまたは複数のキャッシュメモリ、1つまたは複数のレジスタ、または本明細書で開示されている他の類似のデータストアを含み得ることはさらに認識されたい。
【０１１５】
各コンピューティングオブジェクト1210、1212など、およびコンピューティングオブジェクトまたはデバイス1220、1222、1224、1226、1228などは、通信ネットワーク1242を直接的にまたは間接的に用いて、1つまたは複数の他のコンピューティングオブジェクト1210、1212など、およびコンピューティングオブジェクトまたはデバイス1220、1222、1224、1226、1228などと通信することができる。図12に単一の要素として例示されているとしても、通信ネットワーク1242は、図12のシステムにサービスを提供する他のコンピューティングオブジェクトおよびコンピューティングデバイスを含むものとしてよく、および/または複数の相互接続されたネットワークを表すものとしてよく、これらは図示されていない。各コンピューティングオブジェクト1210、1212など、またはコンピューティングオブジェクトもしくはデバイス1220、1222、1224、1226、1228などは、API、または本明細書で説明されている技術および開示との通信もしくはその実装に適している他のオブジェクト、ソフトウェア、ファームウェア、および/もしくはハードウェアを使用することが可能であるアプリケーション1230、1232、1234、1236、1238などのアプリケーションも含み得る。
【０１１６】
分散コンピューティング環境をサポートする様々なシステム、コンポーネント、およびネットワーク構成がある。たとえば、コンピューティングシステムは、有線もしくはワイヤレスシステム、ローカルネットワーク、または広域分散ネットワークにより相互に接続され得る。現在、多くのネットワークが、インターネットに結合されており、インターネットは広域分散コンピューティング用のインフラストラクチャを提供し、多くの異なるネットワークを包含するが、いかなるネットワークインフラストラクチャも本明細書の様々な実施形態において説明されているようなシステム自動診断データ収集から生じる例示的な通信に使用することができる。
【０１１７】
したがって、クライアント/サーバ、ピアツーピア、またはハイブリッドアーキテクチャなどの、ネットワークトポロジーおよびネットワークインフラストラクチャのホストが利用され得る。「クライアント」は、関係していない別のクラスもしくはグループのサービスを使用するクラスまたはグループのメンバーである。クライアントは、別のプログラムまたはプロセスによって提供されるサービスを要求するプロセス、すなわち、概して一組の命令もしくはタスクであってよい。クライアントプロセスは、要求されたサービスを、場合によっては他のプログラムまたはサービスそれ自体に関する詳細な仕組みを「知る」ことがないまま利用する。
【０１１８】
クライアント/サーバアーキテクチャ、特にネットワーク接続システムにおいて、クライアントは、通常、別のコンピュータ、たとえば、サーバによって提供される共有ネットワークリソースにアクセスするコンピュータである。図12の図において、非限定的な一例として、コンピューティングオブジェクトまたはデバイス1220、1222、1224、1226、1228などはクライアントとして考えられるものとしてよく、コンピューティングオブジェクト1210、1212などは、サーバとして機能するコンピューティングオブジェクト1210、1212などがクライアントコンピューティングオブジェクトまたはデバイス1220、1222、1224、1226、1228などからデータを受信すること、データの記憶、データの処理、データをクライアントコンピューティングオブジェクトまたはデバイス1220、1222、1224、1226、1228などに送信することなどの、データサービスを提供するサーバとして考えられるものとしてよいが、コンピュータは、環境に応じて、クライアント、サーバ、またはその両方とみなされ得る。
【０１１９】
サーバは、典型的には、インターネットまたはワイヤレスネットワークインフラストラクチャなどの、リモートまたはローカルネットワーク上でアクセス可能なリモートコンピュータシステムである。クライアントプロセスは、第1のコンピュータシステムにおいてアクティブであってよく、サーバプロセスは、第2のコンピュータシステムにおいてアクティブであってよく、通信媒体上で互いに通信し、それにより、分散機能を実現し、複数のクライアントにサーバの情報収集能力を利用させることができる。本明細書で説明されている技術に従って利用されるソフトウェアオブジェクトは、スタンドアロンで提供されるか、または複数のコンピューティングデバイスもしくはオブジェクトにまたがって分散されるものとしてよい。
【０１２０】
たとえば、通信ネットワーク1242またはバスがインターネットであるネットワーク環境において、コンピューティングオブジェクト1210、1212などは、他のコンピューティングオブジェクトまたはデバイス1220、1222、1224、1226、1228などがハイパーテキスト転送プロトコル(HTTP)などの、多数の知られているプロトコルのうちのどれかを介して通信するウェブサーバであってよい。サーバとして機能するコンピューティングオブジェクト1210、1212などは、クライアント、たとえば、コンピューティングオブジェクトまたはデバイス1220、1222、1224、1226、1228などとして働いてもよく、これは分散コンピューティング環境の特徴であり得る。
【０１２１】
たとえば、メモリから実行されるプロセス、およびプロセッサは両方ともコンポーネントであってよい。別の例として、アーキテクチャは、電子ハードウェア(たとえば、並列もしくは直列トランジスタ)の配置構成、処理命令、および電子ハードウェアの配置構成に適した方式で処理命令を実装するプロセッサを含むものとしてよい。それに加えて、アーキテクチャは、単一のコンポーネント(たとえば、トランジスタ、ゲートアレイ、...)またはコンポーネントの配置構成(たとえば、トランジスタの直列もしくは並列配置構成、プログラム回路に接続されているゲートアレイ、電源リード線、接地、入力信号線、および出力信号線など)を含むことができる。例示的な一システムは、交差した入出力線およびパスゲートトランジスタ、さらには電源、信号発生器、通信バス、コントローラ、I/Oインターフェース、アドレスレジスタなどを含むスイッチングブロックアーキテクチャを備えることができる。
【０１２２】
前述の内容に加えて、開示されている主題は、典型的な製造、プログラミング、またはエンジニアリング技術を使用してハードウェア、ファームウェア、ソフトウェア、またはこれらの好適な組合せを生産し電子デバイスを制御して開示されている主題を実装する製造の方法、装置、または物品として実装され得る。本明細書で使用されている場合の「装置」および「製造品」という用語は、電子デバイス、半導体デバイス、コンピュータ、または任意のコンピュータ可読デバイス、キャリア、もしくは媒体からアクセス可能なコンピュータプログラムを包含することが意図されている。コンピュータ可読媒体は、ハードウェア媒体またはソフトウェア媒体を含み得る。それに加えて、媒体は、非一時的媒体、または輸送媒体を含み得る。一例では、非一時的媒体は、コンピュータ可読ハードウェア媒体を含むものとしてよい。コンピュータ可読ハードウェア媒体の特定の例は、限定はしないが、磁気記憶装置デバイス(たとえば、ハードディスク、フロッピィ(登録商標)ディスク、磁気ストリップ、...)、光ディスク(たとえば、コンパクトディスク(CD)、デジタル多目的ディスク(DVD)、スマートカード、およびフラッシュメモリデバイス(たとえば、カード、スティック、キードライブ、...)を含み得る。
【符号の説明】
【０１２３】
100  システム
102  トランシーバコンポーネント
104  リモート送信機コンポーネント
106  ADCコンポーネント
108  ADCサブコンポーネント1
110  ADCサブコンポーネント2
112  ADCサブコンポーネントk
114  インターリーバコンポーネント
116  コンバイナコンポーネント
118  復号器コンポーネント
120  較正コンポーネント
200  システム
202  トランシーバコンポーネント
204  較正コンポーネント
206  アナログ前処理
208  イコライザコンポーネント
300  トランシーバコンポーネント
302  送信機コンポーネント
304  受信機コンポーネント
306  インターリーバコンポーネント
308  ADCコンポーネント
310  復号器コンポーネント
312  較正コンポーネント
314  較正管理コンポーネント
316  モニタコンポーネント
318  分析器コンポーネント
320  計算機コンポーネント
322  チャネル推定器コンポーネント
324  オフセットコンポーネント
326  フィルタコンポーネント
328  コンバイナコンポーネント
330  プロセッサコンポーネント
332  データストア
400  方法
500  方法
600  方法
700  方法
800  方法
900  方法
1000  方法
1100  コンピューティングシステム環境
1110  コンピュータ
1120  処理ユニット
1121  システムバス
1130  システムメモリ
1140  ユーザ入力
1150  出力インターフェース
1170  リモートコンピュータ
1171  ネットワーク
1200  ネットワーク接続または分散コンピューティング環境
1210、1212  コンピューティングオブジェクト
1220、1222、1224、1226、1228  コンピューティングオブジェクトまたはデバイス
1230、1232、1234、1236、1238  アプリケーション
1240  データストア
1242  通信ネットワーク
【図１】
2018520590.tif 000003
【図２】
2018520590.tif 000004
【図３】
2018520590.tif 000005
【図４】
2018520590.tif 000006
【図５】
2018520590.tif 000007
【図６】
2018520590.tif 000008
【図７】
2018520590.tif 000009
【図８】
2018520590.tif 000010
【図９】
2018520590.tif 000011
【図１０】
2018520590.tif 000012
【図１１】
2018520590.tif 000013
【図１２】
2018520590.tif 000014
【国際調査報告】
2018520590.tif 000015
2018520590.tif 000016